(57)【要約】本発明は、ポイント等のインセンティブ情報を正確に付与することができる生活習慣改善支援システムを提供することを目的とする。  本発明に係る生活習慣改善支援システムは、患者によって申告される前記患者の生体情報である第１の生体情報を測定する測定部（１２）と、第三者機関によって申告される前記患者の生体情報であり、前記第１の生体情報と相関のある第２の生体情報を入力する情報入力部（４１）と、前記第１の生体情報と前記第２の生体情報とに基づいて、前記患者の生活習慣の改善に対するインセンティブを高めるための情報であるインセンティブ情報を作成するインセンティブ情報作成部と、前記インセンティブ情報を表示する表示部（１３）とを備える。【特許請求の範囲】
【請求項１】
生活習慣の改善を支援するシステムであって、
患者によって申告される前記患者の生体情報である第１の生体情報を取得する第１の生体情報取得手段と、
第三者機関によって申告される前記患者の生体情報であり、前記第１の生体情報と相関のある第２の生体情報を取得する第２の生体情報取得手段と、
前記第１の生体情報と前記第２の生体情報とに基づいて、前記患者の生活習慣の改善に対するインセンティブを高めるための情報であるインセンティブ情報を作成するインセンティブ情報作成手段と、
前記インセンティブ情報を出力する出力手段と
を備える生活習慣改善支援システム。
【請求項２】
前記インセンティブ情報作成手段は、前記第１の生体情報に基づいて、暫定的な前記インセンティブ情報である暫定インセンティブ情報を作成した後、前記暫定インセンティブ情報と前記第２の生体情報とに基づいて、確定的な前記インセンティブ情報である確定インセンティブ情報を作成する
請求項１記載の生活習慣改善支援システム。
【請求項３】
前記生活習慣改善支援システムは、さらに、前記第１の生体情報と前記第２の生体情報との相関関係を記憶する相関関係記憶手段を備え、
前記インセンティブ情報作成手段は、前記相関関係と前記第１の生体情報とに基づいて前記第２の生体情報の予想値を求め、前記第２の生体情報の予想値と前記第２の生体情報との乖離度合いが小さいほど、前記患者の生活習慣の改善に対するインセンティブがより高まるように、前記確定インセンティブ情報を作成する
請求項２記載の生活習慣改善支援システム。
【請求項４】
前記生活習慣改善支援システムは、さらに、前記第２の生体情報の目標値を記憶する目標値記憶手段を備え、
前記インセンティブ情報作成手段は、前記目標値に対する前記第２の生体情報の達成度合いが高いほど、前記患者の生活習慣の改善に対するインセンティブがより高まるように、前記確定インセンティブ情報を作成する
請求項３記載の生活習慣改善支援システム。
【請求項５】
前記生活習慣改善支援システムは、さらに、前記第２の生体情報を記憶する生体情報記憶手段を備え、
前記インセンティブ情報作成手段は、前回の前記第２の生体情報に対する今回の前記第２の生体情報の改善度合いが高いほど、前記患者の生活習慣の改善に対するインセンティブがより高まるように、前記確定インセンティブ情報を作成する
請求項３記載の生活習慣改善支援システム。
【請求項６】
前記生活習慣改善支援システムは、さらに、前記第１の生体情報に基づいて、前記患者の生活習慣の改善に対するアドバイスを示す情報であるアドバイス情報を作成するアドバイス情報作成手段を備え、
前記出力手段は、前記アドバイス情報を出力する
請求項１記載の生活習慣改善支援システム。
【請求項７】
前記インセンティブ情報作成手段は、前記インセンティブ情報に基づいて、前記第三者機関の取り組みに対するインセンティブを高めるための情報である第三者機関インセンティブ情報を作成し、
前記出力手段は、前記第三者機関インセンティブ情報を出力する
請求項１記載の生活習慣改善支援システム。
【請求項８】
前記生活習慣改善支援システムは、さらに、前記患者が所有するクライアント端末と、前記第三者機関が所有する第三者機関端末とを備え、
前記クライアント端末は、
前記第１の生体情報の入力を受け付ける第１の生体情報受付手段と、
前記第１の生体情報受付手段により受け付けられた前記第１の生体情報を前記第１の生体情報取得手段にネットワークを介して送信する第１の生体情報送信手段とを備え、
前記第三者機関端末は、
前記第２の生体情報の入力を受け付ける第２の生体情報受付手段と、
前記第２の生体情報受付手段により受け付けられた前記第２の生体情報を前記第２の生体情報取得手段に前記ネットワークを介して送信する第２の生体情報送信手段とを備える、
請求項１記載の生活習慣改善支援システム。
【請求項９】
前記生活習慣改善支援システムは、さらに、前記患者が所有するクライアント端末と、前記第三者機関が所有する第三者機関端末とを備え、
前記クライアント端末は、
前記第１の生体情報の入力を受け付ける第１の生体情報受付手段と、
前記第１の生体情報受付手段により受け付けられた前記第１の生体情報を前記第１の生体情報取得手段に記録媒体を介して送信する第１の生体情報送信手段とを備え、
前記第三者機関端末は、
前記第２の生体情報の入力を受け付ける第２の生体情報受付手段と、
前記第２の生体情報受付手段により受け付けられた前記第２の生体情報を前記第２の生体情報取得手段にネットワークを介して送信する第２の生体情報送信手段とを備える、
請求項１記載の生活習慣改善支援システム。
【請求項１０】
前記第１の生体情報は、前記患者の生活習慣の結果を示す情報である
請求項１記載の生活習慣改善システム。
【請求項１１】
生活習慣の改善を支援する方法であって、
患者によって申告される前記患者の生体情報である第１の生体情報を取得する第１の生体情報取得ステップと、
第三者機関によって申告される前記患者の生体情報であり、前記第１の生体情報と相関のある第２の生体情報を取得する第２の生体情報取得ステップと、
前記第１の生体情報と前記第２の生体情報とに基づいて、前記患者の生活習慣の改善に対するインセンティブを高めるための情報であるインセンティブ情報を作成するインセンティブ情報作成ステップと、
前記インセンティブ情報を出力する出力ステップと
を含む生活習慣改善支援方法。
【請求項１２】
前記インセンティブ情報作成ステップにおいて、前記第１の生体情報に基づいて、暫定的な前記インセンティブ情報である暫定インセンティブ情報を作成した後、前記暫定インセンティブ情報と前記第２の生体情報とに基づいて、確定的な前記インセンティブ情報である確定インセンティブ情報を作成する
請求項１１記載の生活習慣改善支援方法。
【請求項１３】
前記インセンティブ情報作成ステップにおいて、前記第１の生体情報と前記第２の生体情報との相関関係と前記第１の生体情報とに基づいて前記第２の生体情報の予想値を求め、前記第２の生体情報の予想値と前記第２の生体情報との乖離度合いが小さいほど、前記患者の生活習慣の改善に対するインセンティブがより高まるように、前記確定インセンティブ情報を作成する
請求項１２記載の生活習慣改善支援方法。
【請求項１４】
前記生活習慣改善支援方法は、さらに、前記第１の生体情報に基づいて、前記患者の生活習慣の改善に対するアドバイスを示す情報であるアドバイス情報を作成するアドバイス情報作成ステップを含み、
前記出力ステップにおいて、前記アドバイス情報を出力する
請求項１１記載の生活習慣改善支援方法。
【請求項１５】
前記インセンティブ情報作成ステップにおいて、前記患者の生活習慣の改善に対するインセンティブを高めるための情報であるインセンティブ情報に基づいて、前記第三者機関の取り組みに対するインセンティブを高めるための情報である第三者機関インセンティブ情報を作成し、
前記出力ステップにおいて、前記第三者機関インセンティブ情報を出力する
請求項１１記載の生活習慣改善支援方法。
【請求項１６】
生活習慣の改善を支援するためのプログラムであって、
患者によって申告される前記患者の生体情報である第１の生体情報を取得する第１の生体情報取得ステップと、
第三者機関によって申告される前記患者の生体情報であり、前記第１の生体情報と相関のある第２の生体情報を取得する第２の生体情報取得ステップと、
前記第１の生体情報と前記第２の生体情報とに基づいて、前記患者の生活習慣の改善に対するインセンティブを高めるための情報であるインセンティブ情報を作成するインセンティブ情報作成ステップと、
前記インセンティブ情報を出力する出力ステップと
をコンピュータに実行させるためのプログラム。
【発明の詳細な説明】
【技術分野】
【０００１】  本発明は、生活習慣の改善を支援するシステムに関し、特に、システムの利用者に対してポイントなどのインセンティブ情報を付与する際の技術に関する。
【背景技術】
【０００２】  生活習慣病の治療において、食事療法と運動療法は基本的な事項である。しかしながら、それらは、日常生活において患者が常に気を付ける必要があることから、継続することが困難であることが多い。【０００３】  近年、運動継続の中止を防止するために、運動量を得点化し、測定期間内に所定の運動目標に達していれば加点、達成していなければ減点する技術が提案されている（例えば、特許文献１参照）。あるいは、運動を楽しく長期間継続させることを目的として、運動量をキャラクタで表示し、達成度に応じてキャラクタが成長したり、継続期間や中断の程度に応じてキャラクタの体型や表情が変化したりする歩数計が提案されている（例えば、特許文献２参照）。【０００４】  しかしながら、このような機能を備えた歩数計を使用していても具体的に得るものがないため、利用者によっては満足感が得られない場合がある。結局は、同じ運動の繰り返しであるために飽きが生じ、日々の運動を継続することについて達成感が得られないことが多い。【０００５】  そこで、特許文献３で提案されている健康機器では、適切な運動の継続、効果ある運動量、定められた日時での生体情報の測定、医師のアドバイスに従った測定や生活など、健康の維持増進のための行為や測定値の改善があったときに、利用者に対してポイントを付与する。そして、このポイントが所定のポイントに達したら、利用者が商品やサービスを入手することができるようになっている。
【特許文献１】特開平１１−１７８９６７号公報
【特許文献２】特開平１１−５２８３４号公報
【特許文献３】特開２００３−１４１２６０号公報
【発明の開示】
【発明が解決しようとする課題】
【０００６】  しかしながら、上記従来技術によると、健康機器を用いた運動や測定等を利用者本人が行ったかどうかを確かめることは困難である。例えば、利用者の代わりにその家族の者が測定を行なったとしても、その測定結果に応じたポイントが付与されてしまう。このため、利用者に対して、必ずしも正しいポイントを付与することができないという課題がある。【０００７】  本発明は、上記従来の問題点に鑑み、ポイント等のインセンティブ情報を正確に付与することができる生活習慣改善支援システムを提供することを目的とする。
【課題を解決するための手段】
【０００８】  前記目的を達成するために、本発明に係る生活習慣改善支援システムは、患者によって申告される前記患者の生体情報である第１の生体情報を取得する第１の生体情報取得手段と、第三者機関によって申告される前記患者の生体情報であり、前記第１の生体情報と相関のある第２の生体情報を取得する第２の生体情報取得手段と、前記第１の生体情報と前記第２の生体情報とに基づいて、前記患者の生活習慣の改善に対するインセンティブを高めるための情報であるインセンティブ情報を作成するインセンティブ情報作成手段と、前記インセンティブ情報を出力する出力手段とを備える。【０００９】  また、本発明に係る生活習慣改善支援方法は、患者によって申告される前記患者の生体情報である第１の生体情報を取得する第１の生体情報取得ステップと、第三者機関によって申告される前記患者の生体情報であり、前記第１の生体情報と相関のある第２の生体情報を取得する第２の生体情報取得ステップと、前記第１の生体情報と前記第２の生体情報とに基づいて、前記患者の生活習慣の改善に対するインセンティブを高めるための情報であるインセンティブ情報を作成するインセンティブ情報作成ステップと、前記インセンティブ情報を出力する出力ステップとを含む。【００１０】  また、本発明に係る生活習慣改善支援プログラムは、患者によって申告される前記患者の生体情報である第１の生体情報を取得する第１の生体情報取得ステップと、第三者機関によって申告される前記患者の生体情報であり、前記第１の生体情報と相関のある第２の生体情報を取得する第２の生体情報取得ステップと、前記第１の生体情報と前記第２の生体情報とに基づいて、前記患者の生活習慣の改善に対するインセンティブを高めるための情報であるインセンティブ情報を作成するインセンティブ情報作成ステップと、前記インセンティブ情報を出力する出力ステップとをコンピュータに実行させるためのプログラムである。
【発明の効果】
【００１１】  本発明に係る生活習慣改善支援システムによれば、インセンティブ情報を正確に付与することが可能になるという効果が奏される。
【図面の簡単な説明】
【００１２】
【図１】図１は、本発明の実施の形態１における生活習慣改善支援システムの概略構成図である。
【図２】図２は、本発明の実施の形態１におけるサーバ装置の詳細構成図である。
【図３】図３は、本発明の実施の形態１における生活習慣改善支援システムの動作を示すフローチャートである。
【図４】図４は、本発明の実施の形態１における生体情報記憶部に記憶されているデータ例を示す図である。
【図５】図５は、本発明の実施の形態１におけるポイント・課金記憶部に記憶されているデータ例を示す図である。
【図６】図６は、本発明の実施の形態１における暫定ポイントとアドバイスのお知らせ画面例を示す図である。
【図７】図７は、本発明の実施の形態１における確定ポイントとインセンティブのお知らせ画面例を示す図である。
【図８】図８は、本発明の実施の形態１におけるポイント・課金記憶部に記憶されている別のデータ例を示す図である。
【図９】図９は、本発明の実施の形態１におけるインセンティブのお知らせ画面例を示す図である。
【図１０】図１０は、本発明の実施の形態１におけるポイント確定の動作を示すフローチャートである。
【図１１】図１１は、本発明の実施の形態２における生活習慣改善支援システムの概略構成図である。
【図１２】図１２は、本発明の実施の形態２におけるポイント・課金記憶部に記憶されているデータ例を示す図である。
【図１３】図１３は、本発明の実施の形態２における生活習慣改善支援システムの動作を示すフローチャートである。
【図１４】図１４は、本発明の実施の形態２における別の生活習慣改善支援システムの動作を示すフローチャートである。
【図１５】図１５は、本発明の実施の形態２における別の生活習慣改善支援システムの動作を示すフローチャートである。
【図１６】図１６は、本発明の実施の形態２における確定ポイントとインセンティブのお知らせ画面例を示す図である。
【図１７】図１７は、本発明の実施の形態２におけるポイント・課金記憶部に記憶されている別のデータ例を示す図である。
【図１８】図１８は、本発明の実施の形態２における確定ポイントとアドバイスのお知らせ画面例を示す図である。
【図１９】図１９は、本発明の実施の形態３における生活習慣改善支援システムが診療所にポイントを付与する動作を示すフローチャートである。
【図２０】図２０は、本発明の実施の形態３におけるポイント・課金記憶部に記憶されているデータ例を示す図である。
【符号の説明】
【００１３】  １  クライアント端末
２  通信網
３  サーバ装置
４  診療所端末
１０、４０  電源ボタン
１１、４１  情報入力部
１２  測定部
１３、４３  表示部
１４、４４  ＣＰＵ
１５、３１、４５  送受信部
１６、４６  情報記憶部
３１  送受信部
３２  ＣＰＵ
３３  情報記憶部
３１０  送受信部
３２０  インセンティブ情報作成部
３２１  暫定部
３２２  修正部
３３０  アドバイス情報作成部
３４０  相関関係記憶部
３５０  生体情報記憶部
３６０  ポイント・課金記憶部
【発明を実施するための最良の形態】
【００１４】  本発明に係る生活習慣改善支援システムは、患者によって申告される前記患者の生体情報である第１の生体情報を取得する第１の生体情報取得手段と、第三者機関によって申告される前記患者の生体情報であり、前記第１の生体情報と相関のある第２の生体情報を取得する第２の生体情報取得手段と、前記第１の生体情報と前記第２の生体情報とに基づいて、前記患者の生活習慣の改善に対するインセンティブを高めるための情報であるインセンティブ情報を作成するインセンティブ情報作成手段と、前記インセンティブ情報を出力する出力手段とを備える。これにより、患者によって申告される第１の生体情報だけでなく、第三者機関によって申告される第２の生体情報にも基づいてインセンティブ情報が作成されることになるので、患者に対してインセンティブ情報を正確に付与することが可能となる。【００１５】  また、前記インセンティブ情報作成手段は、前記第１の生体情報に基づいて、暫定的な前記インセンティブ情報である暫定インセンティブ情報を作成した後、前記暫定インセンティブ情報と前記第２の生体情報とに基づいて、確定的な前記インセンティブ情報である確定インセンティブ情報を作成する。これにより、出力手段によって暫定インセンティブ情報が出力された場合は、患者の生活習慣改善に対する努力を否定することがなく評価するため、生活習慣改善の実施を継続させる効果がある。他方、出力手段によって確定インセンティブ情報が出力された場合は、正確に付与されたインセンティブ情報が患者に提示されることになるので、第１の生体情報が患者本人の生体情報であるときは、患者に対して高いインセンティブが働くようにすることが可能となる。【００１６】  また、前記生活習慣改善支援システムは、さらに、前記第１の生体情報と前記第２の生体情報との相関関係を記憶する相関関係記憶手段を備え、前記インセンティブ情報作成手段は、前記相関関係と前記第１の生体情報とに基づいて前記第２の生体情報の予想値を求め、前記第２の生体情報の予想値と前記第２の生体情報との乖離度合いが小さいほど、前記患者の生活習慣の改善に対するインセンティブがより高まるように、前記確定インセンティブ情報を作成する。これにより、相関関係が明らかな疾患については予想値を正確に得ることができるので、第１の生体情報に含まれる虚偽の程度が低いほど、予想値と第２の生体情報との乖離度合いも小さくなる。すなわち、乖離度合いが小さいほど、患者に対してより高いインセンティブが働くことになり、患者がより積極的に生活習慣を改善することを期待することができる。【００１７】  また、前記生活習慣改善支援システムは、さらに、前記第２の生体情報の目標値を記憶する目標値記憶手段を備え、前記インセンティブ情報作成手段は、前記目標値に対する前記第２の生体情報の達成度合いが高いほど、前記患者の生活習慣の改善に対するインセンティブがより高まるように、前記確定インセンティブ情報を作成する。これにより、日常の生活習慣改善が治療に効果的であった場合に、患者に対して大きなインセンティブが働くようにすることが可能となる。すなわち、目標値に対する第２の生体情報の達成度合いが高いほど、患者に対してより高いイ���センティブが働くことになり、患者がより積極的に生活習慣を改善することを期待することができる。【００１８】  また、前記生活習慣改善支援システムは、さらに、前記第２の生体情報を記憶する生体情報記憶手段を備え、前記インセンティブ情報作成手段は、前回の前記第２の生体情報に対する今回の前記第２の生体情報の改善度合いが高いほど、前記患者の生活習慣の改善に対するインセンティブがより高まるように、前記確定インセンティブ情報を作成する。これにより、日常の生活習慣改善が治療に効果的であった場合に、患者に対して大きなインセンティブが働くようにすることが可能となる。すなわち、前回に対する今回の第２の生体情報の改善度合いが高いほど、患者に対してより高いインセンティブが働くことになり、患者がより積極的に生活習慣を改善することを期待することができる。【００１９】  また、前記生活習慣改善支援システムは、さらに、前記第１の生体情報に基づいて、前記患者の生活習慣の改善に対するアドバイスを示す情報であるアドバイス情報を作成するアドバイス情報作成手段を備え、前記出力手段は、前記アドバイス情報を出力する。これにより、患者は、自分にあった具体的なアドバイスを受けることになるため、より生活習慣改善の効果を上げることが可能となる。【００２０】  また、前記インセンティブ情報作成手段は、前記インセンティブ情報に基づいて、前記第三者機関の取り組みに対するインセンティブを高めるための情報である第三者機関インセンティブ情報を作成し、前記出力手段は、前記第三者機関インセンティブ情報を出力する。これにより、第三者機関の取り組みに対するインセンティブ情報を患者に示すことが可能となる。【００２１】  また、前記生活習慣改善支援システムは、さらに、前記患者が所有するクライアント端末と、前記第三者機関が所有する第三者機関端末とを備え、前記クライアント端末は、前記第１の生体情報の入力を受け付ける第１の生体情報受付手段と、前記第１の生体情報受付手段により受け付けられた前記第１の生体情報を前記第１の生体情報取得手段にネットワークを介して送信する第１の生体情報送信手段とを備え、前記第三者機関端末は、前記第２の生体情報の入力を受け付ける第２の生体情報受付手段と、前記第２の生体情報受付手段により受け付けられた前記第２の生体情報を前記第２の生体情報取得手段に前記ネットワークを介して送信する第２の生体情報送信手段とを備える。これにより、クライアント端末と第三者機関端末とサーバ装置との間でリアルタイムに情報が送受信されるので、患者は即座に情報を入手することができる。【００２２】  また、前記生活習慣改善支援システムは、さらに、前記患者が所有するクライアント端末と、前記第三者機関が所有する第三者機関端末とを備え、前記クライアント端末は、前記第１の生体情報の入力を受け付ける第１の生体情報受付手段と、前記第１の生体情報受付手段により受け付けられた前記第１の生体情報を前記第１の生体情報取得手段に記録媒体を介して送信する第１の生体情報送信手段とを備え、前記第三者機関端末は、前記第２の生体情報の入力を受け付ける第２の生体情報受付手段と、前記第２の生体情報受付手段により受け付けられた前記第２の生体情報を前記第２の生体情報取得手段にネットワークを介して送信する第２の生体情報送信手段とを備える。これにより、クライアント端末がインターネット等のネットワークに接続されていない場合でも、患者は本システムを利用することが可能となる。【００２３】  また、前記第１の生体情報は、前記患者の生活習慣の結果を示す情報である。これにより、例えば運動量のように、患者の体内に存在する物質とは言えないものでも、患者の生活習慣の結果を示す情報である以上、本システムにおいて利用することが可能となる。【００２４】  なお、本発明は、このような生活習慣改善支援システムとして実現することができるだけでなく、このような生活習慣改善支援システムが備える特徴的な手段をステップとする生活習慣改善支援方法として実現したり、それらのステップをコンピュータに実行させるプログラムとして実現したりすることもできる。そして、そのようなプログラムは、ＣＤ−ＲＯＭ等の記録媒体やインターネット等の伝送媒体を介して配信することができるのは言うまでもない。【００２５】  以下、本発明の実施の形態について図面を用いて詳細に説明する。【００２６】  （実施の形態１）
図１は、本発明の実施の形態１における生活習慣改善支援システムの概略構成図である。このシステムは、生活習慣の改善を支援するシステムである。ここでは、ＡＤＳＬや携帯電話網などの通信網２を介して、クライアント端末１と、サーバ装置３と、第三者機関端末である診療所端末４とが接続されている状態を表している。【００２７】  クライアント端末１は、患者が所有する端末であり、電源ボタン１０、情報入力部１１、測定部１２、表示部１３、ＣＰＵ１４、送受信部１５、及び情報記憶部１６を備えている。電源ボタン１０は、本端末１の電源をオン／オフするためのボタンである。情報入力部１１は、情報を入力するためのキーボード等である。測定部１２は、尿中の塩分を定量的に測定することが可能な使い捨て型の測定チップ等であり、本発明に係る第１の生体情報受付手段に相当する。表示部１３は、後述するインセンティブ情報やアドバイス情報などを表示するためのディスプレイ等である。ＣＰＵ１４は、生活習慣改善支援に関係する各種処理を行う中央演算処理装置である。送受信部１５は、サーバ装置３等との間で情報を送受信する通信ボード等であり、本発明に係る第１の生体情報送信手段に相当する。情報記憶部１６は、患者ＩＤなどの情報を記憶するハードディスク等である。【００２８】  サーバ装置３は、当該システムによって実現されるサービス（以下、単に「サービス」という）の提供体が所有する装置であり、送受信部３１、ＣＰＵ３２、及び情報記憶部３３を備えている。送受信部３１は、クライアント端末１等との間で情報を送受信する通信ボード等であり、本発明に係る第１の生体情報取得手段、第２の生体情報取得手段、及び出力手段に相当する。ＣＰＵ３２は、生活習慣改善支援に関係する各種処理を行う中央演算処理装置である。情報記憶部３３は、生体情報など各種情報を記憶するハードディスク等である。【００２９】  診療所端末４は、診療所などの第三者機関が所有する端末であり、電源ボタン４０、情報入力部４１、表示部４３、ＣＰＵ４４、送受信部４５、及び情報記憶部４６を備えている。電源ボタン４０は、本端末４の電源をオン／オフするためのボタンである。情報入力部４１は、情報を入力するためのキーボード等であり、本発明に係る第２の生体情報受付手段に相当する。表示部４３は、後述する検査結果などを表示するためのディスプレイ等である。ＣＰＵ４４は、生活習慣改善支援に関係する各種処理を行う中央演算処理装置である。送受信部４５は、サーバ装置３等との間で情報を送受信する通信ボード等であり、本発明に係る第２の生体情報送信手段に相当する。情報記憶部４６は、診療所ＩＤなどの情報を記憶するハードディスク等である。【００３０】  図２は、前記サーバ装置３の詳細構成図である。図２に示されるように、サーバ装置３は、機能的には、送受信部３１０と、インセンティブ情報作成部３２０と、アドバイス情報作成部３３０と、相関関係記憶部３４０と、生体情報記憶部３５０と、ポイント・課金記憶部３６０を備えている。【００３１】  送受信部３１０は、前記送受信部３１（図１参照）を機能的に表した手段である。インセンティブ情報作成部３２０は、本発明に係るインセンティブ情報作成手段に相当��、インセンティブ情報を作成する。インセンティブ情報とは、患者に与えるポイントなど、患者の生活習慣の改善に対するインセンティブを高めるための情報をいう。インセンティブ情報作成部３２０は、暫定的なインセンティブ情報を作成する暫定部３２１と、この暫定的なインセンティブ情報を修正する修正部３２２とを有する。修正部３２２が暫定的なインセンティブ情報を修正すると、確定的なインセンティブ情報が作成されることになる。アドバイス情報作成部３３０は、本発明に係るアドバイス情報作成手段に相当し、アドバイス情報を作成する。アドバイス情報とは、患者の生活習慣の改善に対するアドバイスを示す情報をいう。相関関係記憶部３４０は、本発明に係る相関関係記憶手段に相当し、測定結果等とポイントとの相関関係（後述する）や、第１の生体情報と第２の生体情報との相関関係を記憶している。ここで、第１の生体情報とは、尿中塩分など、患者によって申告される患者の生体情報をいい、第２の生体情報とは、血圧値など、第三者機関によって申告される患者の生体情報をいう。第１の生体情報と第２の生体情報との間には相関関係がある（後述する）。生体情報記憶部３５０は、本発明に係る生体情報記憶手段に相当し、第１の生体情報や第２の生体情報などの生体情報を記憶する。ポイント・課金記憶部３６０は、ポイントや課金に関する情報を記憶する。【００３２】  ところで、生活習慣病の患者は、医者の指導の下で目標をもって生活習慣の改善に取り組んでいる。特に、高血圧患者は、食事指導において塩分量の上限目標を意識して生活している。また、食事において摂取した塩分量は、尿中に排泄された塩分量から見積もることが可能である。本実施の形態では、患者は、毎日一定時刻に尿中塩分を測定し、その測定結果をクライアント端末１からサーバ装置３に送信する。サーバ装置３は、患者の生活習慣改善状態を判定し、その判定結果をポイントに換算してクライアント端末１に返送する。これにより、患者は、日々の自分の食事を振り返ることが可能となる。【００３３】  前記ポイント付与の一例を示す。例えば、早朝第一尿の塩分濃度を測定する場合において、塩分濃度の目標値を２ｇ／ｌとしたとき、測定塩分濃度が２ｇ／ｌ以内であれば＋５ポイント、４ｇ／ｌ以内であれば＋３ポイント、６ｇ／ｌ以内であれば＋１ポイントを付与する。また、測定頻度の目標数を３回／週としたとき、測定頻度が４回／週以上であれば＋５ポイント、３回／週であれば＋３ポイント、１〜２回／週であれば＋１ポイントを付与する。さらに、このときは、測定頻度が１２回／月を越えるとボーナスポイントとして＋５ポイントを付与する。このように早朝第１尿の塩分濃度の測定結果および測定頻度とポイントとの相関関係は相関関係記憶部３４０に記憶されている。サーバ装置３のインセンティブ情報作成部３２０は、この相関関係に基づいて測定結果等をポイントに換算する。【００３４】  図３は、本発明の実施の形態１における生活習慣改善支援システムの動作を示すフローチャートである。以下、図１から図３を用いて、本生活習慣改善支援システムの動作を説明する。【００３５】  患者は、測定部１２を用いて日々の測定を実施して、得られた測定結果をクライアント端末１からサーバ装置３に送信する（ステップ１）。このように送信される情報には、測定結果だけでなく、送信元の端末情報、測定日時、および測定頻度も含まれる。端末情報は、例えば、患者を識別するための情報である患者ＩＤであり、患者ＩＤは、クライアント端末１の情報記憶部１６に予め記憶されている。このように、本生活習慣改善支援システムでは、患者ＩＤを用いて情報を送受信するため、個人情報の漏洩に配慮した仕組みを導入している。測定日時は、尿中塩分濃度を測定した日時を示す情報である。測定頻度は、尿中塩分濃度を測定した頻度を示す情報であり、例えば１回／９月第１週など、一定期間における測定回数により表すことができる。【００３６】  クライアント端末１によって送信された情報は、サーバ装置３の送受信部３１によって受信され、生体情報記憶部３５０に記憶される（ステップ２）。図４は、生体情報記憶部３５０に記憶されているデータ例を示す図である。図４に示されるように、生体情報記憶部３５０は、サーバ受信日時、患者ＩＤ、診療所ＩＤ、測定日時、塩分測定結果、塩分測定頻度、診療所測定結果をそれぞれ関連付けて記憶する。【００３７】  次に、サーバ装置３内の暫定部３２１は、測定結果をポイントに換算し、そのポイントとその時点における累計ポイントとをポイント・課金記憶部３６０に記憶する（ステップ３）。ここで換算したポイントは暫定的なポイントであり、確定はしていない。また、サーバ装置３内の暫定部３２１は、測定結果とともに送信されてきた測定頻度をポイントに換算し、測定結果から得られた暫定ポイントと併せて累計暫定ポイントとする。この際、暫定ポイントは、塩分濃度の目標値と測定頻度の目標値とに基づいて判定される。塩分濃度の目標値と測定頻度の目標値とは、診療所端末４からサーバ装置３に送信され、サーバ装置３の相関関係記憶部３４０に記憶されている。【００３８】  図５は、ポイント・課金記憶部３６０に記憶されているデータ例を示す図である。図５に示されるように、ポイント・課金記憶部３６０は、患者ＩＤ、診療所ＩＤ、受信日時、暫定ポイント、累計暫定ポイント、使用ポイント、確定ポイントをそれぞれ関連付けて記憶する。【００３９】  図４に示されるように、２００４年９月２日の測定については、測定塩分濃度が４ｇ／ｌであるので＋３ポイントが付与される。この測定は９月第１週の１回目の測定であるため、さらに＋１ポイントが付与される。したがって、図５に示すように、２００４年９月２日の測定に対して合計４ポイントが暫定ポイントとして付与される。【００４０】  同様に、２００４年９月３日の測定については、測定塩分濃度が２ｇ／ｌであるので＋５ポイントが付与される。この測定は９月第１週の２回目の測定であるため、測定頻度に対するポイントの追加はない。したがって、２００４年９月３日の測定に対して合計５ポイントが暫定ポイントとして付与され、累計暫定ポイントは９ポイントとなる。【００４１】  次に、２００４年９月５日の測定については、測定塩分濃度が６ｇ／ｌであるので＋１ポイントが付与される。この測定は９月第１週の３回目の測定であるため、さらに＋３ポイントが付与される。したがって、２００４年９月５日の測定に対して合計４ポイントが暫定ポイントとして付与され、累計暫定ポイントは１３ポイントとなる。これにより、９月第１週の測定に対する累計暫定ポイントは１３ポイントとなる。【００４２】  アドバイス情報作成部３３０は、アドバイス情報を作成する（ステップ４）。このアドバイスには、前日の食事に対する評価と、その日の食事の目標とが含まれる。例えば、患者の尿中の塩分測定結果を判定することで前日の食事で摂取した塩分量が目標値内であれば、その前日の食事内容は患者に適していることを褒め、かつそのような生活を続けることを示唆する内容とする。一方、目標値から大幅に外れている場合は、まずは測定を行ったことについて褒めた上で、患者に原因特定の作業をするよう促す内容（すなわち、前日の食事内容において何が塩分量を多くした原因なのかを患者に思い起こさせるような内容）とする。【００４３】  このようにクライアント端末１から測定結果が送信されてくる度に、累計暫定ポイントが算出され、また、アドバイス情報が作成される。この累計暫定ポイントとアドバイス情報とは、サーバ装置３の送受信部３１０によってクライアント端末１に送信され、クライアント端末１の送受信部１５によって受信される。これにより、クライアント端末１の表示部１３には、暫定ポイントとアドバイスのお知らせ画面が表示される。【００４４】  図６は、暫定ポイントとアドバイスのお知らせ画面例を示す図である。このお知らせ画面には、前回までに獲得した累計暫定ポイントと、今回獲得した暫定ポイントと、その２つの合計である現在の累計暫定ポイントと、アドバイス情報とが含まれる。すなわち、患者の自己申告による第１の生体情報に基づいて作成されたインセンティブ情報もクライアント端末１に送信されることになる。このようにすれば、患者の生活習慣改善に対する努力を否定することがなく評価するため、生活習慣改善の実施を継続させる効果がある。また、測定結果だけでなく測定頻度にも基づいて作成されたインセンティブ情報がクライアント端末１に送信されることになるので、測定に対する患者の積極性が高まることを期待することができる。【００４５】  このような生活習慣改善を１ヶ月続けた後、患者は診療所で診察を受ける。医師は、その診察時のデータ（診療所データ）を診療所に設置した診療所端末４からサーバ装置３に送信する（ステップ５）。ここでいう診療所データとは、検査結果と患者ＩＤと測定日時と診療所ＩＤであり、検査結果とは、診療所での検査において測定された血圧値である。【００４６】  診療所端末４からの診療所データは、サーバ装置３の送受信部３１によって受信され、生体情報記憶部３５０に記憶される。ここで、サーバ装置３の修正部３２２は、今回の診療時における血圧値（今回の血圧値）と、前回の診療時における血圧値（前回の血圧値）とを生体情報記憶部３５０から取得し、前回の血圧値に対する今回の血圧値の改善度合いを判定する。例えば、患者が高血圧患者である場合は、今回の血圧値が前回の血圧値を下回るほど、改善度合いは高くなる。そして、その判定の結果に基づいて、過去１ヶ月で患者が獲得した暫定ポイントが確定ポイントに修正されると、この確定ポイントはポイント課金記憶部��６０に記憶される（ステップ６）。このようにすれば、改善度合いが高いほど、より高い確定ポイントを付与することが可能となり、その結果、患者がより積極的に生活習慣改善を実施することを期待することができる。【００４７】  なお、ここでは、改善度合いに基づいて暫定ポイントを確定ポイントに修正することとしているが、本発明はこれに限定されない。すなわち、患者によって申告されたポイントの妥当性を判定するためには、以下に説明するように、今回の血圧値と予想血圧値との乖離度合いに基づいて暫定ポイントを確定ポイントに修正するのが好ましい。【００４８】  すなわち、本態性高血圧患者の中には、食塩摂取と高血圧との間に正の相関関係が見られる食塩感受性の高血圧患者が存在する（松岡光明著、「高血圧ナビゲーター」、Ｐ１６−Ｐ１７、株式会社メディカルレビュー社、２０００年１２月１０日発行）。その、摂取食塩量の低下と血圧低下度との相関性（傾き）から、患者の尿中塩分量がわかると、その患者の診療所での検査値（今回の血圧値）を予想することができる。そこで、診療所によって申告された今回の血圧値と、患者によって申告された尿中塩分測定結果から求めた予想血圧値との乖離度合いに基づいて、患者によって申告された尿中塩分測定結果だけを根拠に付与されたポイントの妥当性を判定する。この妥当性の判定作業は、ステップ６において暫定ポイントを確定ポイントにする作業に相当する。例えば、今回の血圧値が｛予想血圧値×９７％〜予想血圧値×１０３％｝の範囲に含まれる場合は、今回の血圧値と予想血圧値との乖離度合いが小さいと判定し、一方、今回の血圧値が｛予想血圧値×９７％〜予想血圧値×１０３％｝の範囲に含まれない場合は乖離度合いが大きいと判定する。そして、乖離度合いが大きいと判定された場合は、獲得した暫定ポイントをそのまま確定ポイントとし、乖離度合いが小さいと判定された場合は、獲得した暫定ポイントの２倍を確定ポイントとする。【００４９】  次に、サーバ装置３の送受信部３１０によって、確定ポイントと交換可能なインセンティブのメニューがクライアント端末１に送信され、クライアント端末１の送受信部１５によって受信される。これにより、クライアント端末１の表示部１３には、確定ポイントとインセンティブのお知らせ画面が表示される（ステップ７）。【００５０】  図７は、確定ポイントとインセンティブのお知らせ画面例を示す図である。このお知らせ画面には、確定ポイントとインセンティブとが含まれる。もちろん、現在までの累計暫定ポイントが含まれてもよい。確定ポイントは、新たに獲得した確定ポイントでもよいし、現在までの累計確定ポイントでもよい。累計確定ポイントは、ポイント・課金記憶部３６０に記憶されている確定ポイントを累計することにより得ることができる。あるいは、図８に示されるように、確定ポイントだけでなく累計確定ポイントもポイント・課金記憶部３６０に記憶しておく構成を採用してもよい。インセンティブの例としては、課金料の値引きや、使い捨て型の測定チップの送付や、商品券・景品の送付などがある。そのインセンティブの内容が表示部１３に表示されているので、患者は、その中から情報入力部１１を用いて希望するインセンテ���ブを選択する。この選択結果をクライアント端末１からサーバ装置３に送信することで、患者は、獲得した確定ポイントに応じたインセンティブを享受することができる。その際、クライアント端末１の表示部１３には、インセンティブのお知らせ画面が表示される（ステップ８）。【００５１】  図９は、インセンティブのお知らせ画面例を示す図である。このお知らせ画面には、患者が享受するインセンティブと、そのインセンティブを享受した後の確定ポイントとが含まれる。もちろん、インセンティブを享受する前の確定ポイントが含まれてもよい。これにより、患者は、インセンティブの申し込み処理が完了したことを知ることができ、また、その申し込み内容に誤りがないことを確認することができる。【００５２】  図１０は、ポイント確定の動作を示すフローチャートである。以下、図１０、図４、及び図５を用いて、前記したポイント確定の手法を具体的に説明する。【００５３】  図４に示されるように、２００４年９月２日に測定された塩分濃度は４ｇ／ｌであり、２００４年９月３日に測定された塩分濃度は２ｇ／ｌであり、２００４年９月５日に測定された塩分濃度は６ｇ／ｌであるので、この３日間に測定された塩分濃度の平均値は４ｇ／ｌである（ステップ１１）。この平均値４ｇ／ｌを用いて前月からの摂取食塩量の低下を特定し、患者の摂取食塩量の低下と、相関関係記憶部３４０に記憶されている血圧低下度との相関性（傾き）から予想血圧値を求める（ステップ１２）。そして、今回の血圧値が｛予想血圧値×９７％〜予想血圧値×１０３％｝の範囲に含まれる場合は乖離度合いが小さいと判定し、獲得した暫定ポイントの２倍を確定ポイントとする（ステップ１３→１４）。例えば、図５に示されるように、２００４年１０月２日の最終的な累計暫定ポイントが１２ポイントである場合において乖離度合いが小さいと判定されたときは、この暫定ポイントを２倍して２４ポイントを確定ポイントとする。一方、今回の血圧値が｛予想血圧値×９７％〜予想血圧値×１０３％｝の範囲に含まれない場合は乖離度合いが大きいと判定し、獲得した暫定ポイントをそのまま確定ポイントとする（ステップ１３→１５）。例えば、２００４年１０月２日の最終的な累計暫定ポイントが１２ポイントである場合において乖離度合いが大きいと判定されたときは、この暫定ポイントをそのまま確定ポイントとする。【００５４】  以上のように、本実施の形態の生活習慣改善支援システムでは、クライアント端末１から送信されてきた生体情報だけでなく、診療所端末４から送信されてきた客観的な生体情報をも用いてインセンティブ情報が作成されることになり、インセンティブ情報を正確に付与することができる。例えば、患者の代わりにその家族の者が測定を行なった場合は、その尿中塩分測定結果から求めた予想血圧値と、診療所が測定した患者の血圧値との乖離度合いが大きくなるため、低い確定ポイントを付与することが可能となる。他方、患者本人が測定を行なった場合は、前記乖離度合いが小さくなるため、高い確定ポイントを付与することが可能となる。【００５５】  また、従来の生活習慣改善支援システムでは、生活習慣改善の実行頻度や実行結果でポイントが決定されており、医師���診断結果を用いてポイントを決定するという手法を取っていなかった。従って、生活習慣改善が無駄に終わったり、あるいはポイント目的の生活習慣改善になってしまったりすることがあり、その結果、本来の目的である病状の改善と結びつかないことがあった。【００５６】  それに対して、本生活習慣改善支援システムでは、医師の診断結果を考慮してポイントが確定される。そのため、前記したように、生活習慣改善に取り組んだのが本当に患者本人であるかどうか、診療所で測定した検査結果を用いて判定することができる。また、医師の管理下での改善プログラムであることから、治療に効果的な範囲で目標設定をすることが可能である。【００５７】  もちろん、日々の生活習慣改善の結果が治療に反映されていることを患者自身が実感することで、より早期に生活習慣改善の習慣がつくという効果もある。また、日々の測定結果だけでなくポイントおよびアドバイスを患者に提示することから、測定を行う動機付けを継続的に提供することができるという効果もある。この際、仮に前日の測定結果が悪いものであっても、ポイントは加算されることから、測定の継続を促すことができる。【００５８】  また、クライアント端末１は測定チップ等の測定部１２を備えているので、簡便に測定結果をサーバ装置３に送信することが可能である。これにより、日々の測定が継続することを期待することができる。【００５９】  なお、ここでは、尿中塩分の測定に関して説明したが、本発明はこれに限定されない。すなわち、測定対象は、患者の生活習慣の結果を示す指標であって、家庭等で患者が測定できる項目であればよい。例えば、尿中タンパク量、尿糖、血糖値、血圧、体重、歩数などを測定するようにしてもよい。もっとも、患者側で測定する対象が変われば、それに応じて診療所側で測定する対象も変えるのが好ましい。例えば、患者が糖尿病患者であり、尿中塩分に代えて血糖を測定する場合、診療所は血圧に代えてヘモグロビンＡ１ｃを測定するのが好ましい。尿中塩分と血圧との間に相関関係があるように、血糖とヘモグロビンＡ１ｃとの間にも相関関係があるからである。患者側と診療所側とで異なる項目について測定するのではなく同じ項目について測定してもよいのはもちろんである。【００６０】  また、ここでは、尿中塩分の濃度によって測定結果を取り扱っているが、本発明はこれに限定されない。例えば、尿中塩分の濃度について尿量補正やクレアチニン補正を行うことで、塩分量に変換した測定結果を取り扱ってもよい。クレアチニン補正とは、尿中のクレアチニン濃度を測定し、その結果を用いて、尿中塩分濃度から１日尿中塩分排泄量を算出する方法である。このような場合、塩分量としては、例えば１日尿中塩分排泄量を採用することが可能である。【００６１】  また、ここでは、早朝第１尿に含まれる尿中塩分を測定したが、採尿時間は特に限定されない。例えば、早朝第２尿や夜間尿に含まれる尿中塩分を測定してもよい。【００６２】  また、ここでは、測定結果と測定頻度とを使用して暫定ポイントを算出したが、本発明はこれに限定されない。例えば、測定頻度のみを使用して暫定ポイントを算出してもよい。【００６３】  また、ここでは、乖離度合いが大きい場合は、獲得した暫定ポイントをそのまま確定ポイントとし、乖離度合いが小さい場合は、獲得した暫定ポイントの２倍を確定ポイントとすることとしているが、本発明はこれに限定されない。すなわち、乖離度合いが小さいほど、より高い確定ポイントを付与する方法であれば、他の方法を採用してもよい。【００６４】  また、ここでは、第１の生体情報（尿中塩分）から予想される値と、第２の生体情報（血圧）との乖離度合いに基づいて、暫定ポイントを修正することとしているが、本発明はこれに限定されない。すなわち、第２の生体情報の目標値を記憶する目標値記憶手段をサーバ装置３に備えておき、この目標値に対する第２の生体情報の達成度合いに基づいて、暫定ポイントを修正するようにしてもよい。これにより、日常の生活習慣改善が治療に効果的であった場合に、患者に対して大きなインセンティブが働くようにすることが可能となる。そのため、患者の生活習慣改善に対するモチベーションが上がることを期待することができる。すなわち、第２の生体情報の達成度合いが高いほど、より高い確定ポイントを付与する仕組みにすると、患者がより積極的に生活習慣改善を実施することを期待することができる。【００６５】  また、測定部１２によって測定された結果に基づいてアドバイスおよび暫定ポイントを作成するための手段をクライアント端末１内に備えていてもよい。このようにすると、クライアント端末１は、測定毎に情報をサーバ装置３に送信する必要がない。すなわち、必要な時だけ（例えば、大幅な異常値が出た時や、サーバ装置３からの定期的な結果チェックの時だけ）、クライアント端末１とサーバ装置３との交信を行えばよくなるため、サーバ装置３の負荷が減少する。また、クライアント端末１は、サーバ装置３との交信時間がないため、よりリアルタイムなアドバイスを得ることが可能となる。【００６６】  また、ここでは、塩分測定の頻度は、クライアント端末１内で計算されて情報記憶部１６に記載された後、送受信部１５からサーバ装置３に送信されて生体情報記憶部３５０に記憶される構成としたが、本発明はこれに限定されない。例えば、クライアント端末１からサーバ装置３に送信される情報は塩分測定結果および測定日時だけとし、サーバ装置３のインセンティブ情報作成部３２０によって一定期間における測定回数が判定される構成としてもよい。【００６７】  また、ここでは、診療所を例示して説明したが、診療所は第三者機関の一例である。ここでいう第三者機関には、診療所や病院はもちろん、保健所、健康管理センター、臨床検査センター等も含まれる。このように、第三者機関によって申告される情報は客観的で信憑性があるので、インセンティブ情報を正確に付与することができる。【００６８】  また、ここでは、本システムの利用者を患者と呼んでいるが、ここでいう患者には、現実に治療が必要でない者も含まれる。すなわち、前記した第三者機関を利用する者である以上、ここでいう患者に該当する。【００６９】  （実施の形態２）
前記実施の形態１では、ネットワークを介してクライアント端末と診療所端末との間で情報を送受信していたが、本実施の形態２では、記録媒体を介してクライアント端末と診療所端末との間で情報を送受信する。その他の構成については、前記実施の形態１と同じである。【００７０】  図１１は、本発明の実施の形態２における生活習慣改善支援システムの概略構成図である。クライアント端末１０１は、情報記憶部１６の代わりに、ＳＤカードのような不揮発性の外部メモリに対して情報を読み書きする外部メモリ接続部１１７を備えている。外部メモリ接続部１１７は、本発明に係る第１の生体情報送信手段に相当する。診療所端末１０４も、ＳＤカードのような不揮発性の外部メモリに対して情報を読み書きする外部メモリ接続部１４７を備えている。クライアント端末１０１は、インターネットなどの通信網２に接続されていない。サーバ装置３と診療所端末１０４とは、インターネットなどの通信網２を介して接続されている。その他の構成については、実施の形態１の図１に示した構成と同じである。【００７１】  図１２は、本発明の実施の形態２におけるポイント・課金記憶部３６０に記憶されているデータ例を示す図である。受信日時が全て同日（２００４年１０月２日）である点を除き、実施の形態１において説明した図５と同じである。受信日時が同日になるのは、ＳＤカードを診療所に持って行った日に処理を一括して行うためであるが、詳細については後述する。【００７２】  なお、本実施の形態においては、サーバ装置３と診療所端末１０とがインターネットなどの通信網２を介して接続されている場合について説明するが、サーバ装置３は診療所内に設置されていてもよい。その場合、サーバ装置３と診療所端末１０とは、診療所内におけるＬＡＮを介して接続されることになる。【００７３】  図１３は、本発明の実施の形態２における生活習慣改善支援システムの動作を示すフローチャートである。以下の説明では、実施の形態１と同様の動作については詳しい説明を省略する。【００７４】  まず、クライアント端末１０１の外部メモリ接続部１１７には、ＳＤカードのような外部メモリが接続されている。患者がクライアント端末１０１を用いて尿中塩分を測定すると、その測定結果が外部メモリ接続部１１７を通じてＳＤカードに記録される。患者は、診療所に向かう際、ＳＤカードをクライアント端末１０１から取り出して持参する。ＳＤカードが診療所端末１０４の外部メモリ接続部１４７に接続されると、ＳＤカードに記録されている測定結果が診療所端末１０４からサーバ装置３に送信される（ステップ１１）。サーバ装置３は、診療所端末１０４から受信した測定結果に基づいて暫定ポイントと累計暫定ポイントとを算出する（ステップ１２→１３）。【００７５】  また、診療所端末１０４に患者の血圧値が入力されると、その血圧値が診療所端末１０４からサーバ装置３に送信される（ステップ１４）。サーバ装置３は、診療所端末１０４から受信した血圧値とその予想値との乖離度合いを求め、求めた乖離度合いに基づいて暫定ポイントを修正することにより確定ポイントを算出する（ステップ１５）。そして、確定ポイントと交換可能なインセンティブのメニューを作成する。【００７６】  ここで、本実施の形態２におけるポイント交換メニューは、サーバ装置３から診療所端末１０４に送信され、診療所端末１０４の送受信手段１１５によって受信され、診療所端末１０４の外部メモリ接続部１４７によってＳＤカードに記録される。その後、診療所端末１０４の外部メモリ接続部１４７によってＳＤカードからポイント交換メニューが読み出されると、診療所端末１０４の表示部１４３には、確定ポイントとインセンティブのお知らせ画面が表示される（ステップ１６）。このお知らせ画面は、実施の形態１において説明した図７と同様であるため、ここでは説明を省略する。【００７７】  患者は、診療所端末１０４の表示部１４３に表示されたポイント交換メニューの中から情報入力部１４１を用いて希望するインセンティブを選択する。希望するインセンティブを示す情報は、診療所端末１０４の外部メモリ接続部１４７によってＳＤカードに記録されるとともに、サーバ装置３に送信される。その結果、患者は、獲得した確定ポイントに応じたインセンティブを享受することができる。その後、インセンティブを享受した後の確定ポイントがサーバ装置３から診療所端末１０４に送信され、診療所端末１０４の外部メモリ接続部１４７によってＳＤカードに記録される（ステップ１７）。これにより、診療所端末１０４の表示部１４３には、インセンティブのお知らせ画面が表示される。このお知らせ画面は、実施の形態１において説明した図９と同様であるため、ここでは説明を省略する。【００７８】  以上のように、本実施の形態２における生活習慣改善支援システムでは、実施の形態１と同様、クライアント端末１から送信されてきた生体情報だけでなく、診療所端末４から送信されてきた客観的な生体情報をも用いてインセンティブ情報が作成されることになり、インセンティブ情報を正確に付与することができる。また、ＳＤカードを介してクライアント端末１と診療所端末４との間で情報が送受信されるので、クライアント端末１がネットワークに接続されていない場合でも、患者は本システムを利用することが可能となる。【００７９】  なお、ここでは、暫定ポイントやアドバイス情報を出力しない形態（患者に提示しない形態）について説明したが、本発明はこれに限定されない。すなわち、記録媒体を介してクライアント端末と診療所端末との間で情報を送受信する場合でも、実施の形態１と同様、暫定ポイントやアドバイス情報を出力するようにしてもよい。【００８０】  図１４は、本発明の実施の形態２における別の生活習慣改善支援システムの動作を示すフローチャートである。図１３と異なる点は、アドバイス情報を作成してからお知らせ画面を表示するまでのステップ２４が追加された点のみである。すなわち、サーバ装置３は、実施の形態１と同様にアドバイス情報を作成し、そのアドバイス情報と暫定ポイントとを診療所端末１０４に送信する。これにより、診療所端末１０４の外部メモリ接続部１４７は、アドバイス情報と暫定ポイントとをＳＤカードに記録し、診療所端末１０４の表示部１４３には、暫定ポイントとアドバイスのお知らせ画面が表示される。このお知らせ画面は、実施の形態１において説明した図６と同様であるため、ここ��は説明を省略する。【００８１】  以上のように、記録媒体を介してクライアント端末と診療所端末との間で情報を送受信する場合でも、実施の形態１と同様、暫定ポイントやアドバイス情報を診療所端末１０４の表示部１４３に表示することができる。これにより、実施の形態１と同様、患者は即座にポイントやアドバイスなどを知ることができる。ただし、このように診療所端末１０４の表示部１４３に各種画面が表示される形態によると、患者は即座にポイントやアドバイスなどを知ることができるというメリットがあるが、診療所内における処理負担が大きくなるというデメリットもある。そこで、患者がＳＤカードを持ち帰ってクライアント端末１０１の外部メモリ接続部１１７に接続したとき、クライアント端末１０１の表示部１１３に各種画面が表示されるようにしてもよい。【００８２】  図１５は、本発明の実施の形態２における別の生活習慣改善支援システムの動作を示すフローチャートである。図１３と異なる点は、各種画面が診療所端末１０４の表示部１４３ではなくクライアント端末１０１の表示部１１３に表示される点である。【００８３】  すなわち、図１３と同様、サーバ装置３によって作成されたポイント交換メニューは、診療所端末１０４の外部メモリ接続部１４７によってＳＤカードに記録される。ここで、診療所はＳＤカードを患者に返す。これにより、患者がＳＤカードを持ち帰ってクライアント端末１０１の外部メモリ接続部１１７に接続すると、クライアント端末１０１の表示部１１３には、確定ポイントとインセンティブのお知らせ画面が表示される（ステップ３６）。このお知らせ画面は、実施の形態１において説明した図７と同様であるため、ここでは説明を省略する。【００８４】  そこで、患者は、クライアント端末１０１の表示部１１３に表示されたポイント交換メニューの中から情報入力部１１１を用いて希望するインセンティブを選択する。希望するインセンティブを示す情報は、クライアント端末１０１の外部メモリ接続部１１７によってＳＤカードに記録される。また、患者が測定部１１２を用いて日々の測定を実施している場合は、その測定結果もクライアント端末１０１の外部メモリ接続部１１７によってＳＤカードに記録される。【００８５】  患者は、診療所に向かう際は、前回と同様、ＳＤカードをクライアント端末１０１から取り出して持参する。そして、ＳＤカードが診療所端末１０４の外部メモリ接続部１４７に接続されると、ＳＤカードに記録されている情報が診療所端末１０４からサーバ装置３に送信される（ステップ３１）。ここでサーバ装置３に送信される情報には、希望するインセンティブを示す情報と、前回の診療時から今回の診療時までの測定結果とが含まれる。これにより、サーバ装置３は、診療所端末１０４から受信した測定結果に基づいて暫定ポイントと累計暫定ポイントとを算出する（ステップ３２→３３）。【００８６】  また、診療所端末１０４に患者の血圧値が入力されると、その血圧値が診療所端末１０４からサーバ装置３に送信される（ステップ３４）。サーバ装置３は、診療所端末１０４から受信した血圧値とその予想値との乖離度合いを求め、求めた乖離度合いに基づいて暫定ポイントを修正することによ��確定ポイントを算出する（ステップ３５）。そして、確定ポイントと交換可能なインセンティブのメニューを作成する。このポイント交換メニューは、サーバ装置３から診療所端末１０４に送信され、診療所端末１０４の送受信手段１１５によって受信され、診療所端末１０４の外部メモリ接続部１４７によってＳＤカードに記録される。ここで、診療所はＳＤカードを患者に返す。これにより、患者がＳＤカードを持ち帰ってクライアント端末１０１の外部メモリ接続部１１７に接続すると、クライアント端末１０１の表示部１１３には、確定ポイントとインセンティブのお知らせ画面が表示される（ステップ３６）。【００８７】  図１６は、確定ポイントとインセンティブのお知らせ画面例を示す図である。このお知らせ画面には、確定ポイントの増減とインセンティブとが含まれる。確定ポイントが増減するのは、ＳＤカードを診療所に持って行った日に処理を一括して行うためである。すなわち、クライアント端末１０１においてインセンティブを選択すると確定ポイントは減ることになるが、その処理をサーバ装置３が行うのは、患者がＳＤカードを持参して次に診療所を訪れた際になる。そして、患者がＳＤカードを持参して次に診療所を訪れた際には、前回と同様、診療所で血圧値を測定するので新たな確定ポイントが発生することになる。従って、患者が診療所からＳＤカードを持ち帰ってクライアント端末１０１の外部メモリ接続部１１７に接続した時には、前記したように確定ポイントが増減しているのである。【００８８】  以上のように、記録媒体を介してクライアント端末と診療所端末との間で情報を送受信する場合でも、診療所端末１０４の表示部１４３ではなくクライアント端末１０１の表示部１１３に各種画面を表示することができる。これにより、診療所端末１０４の表示部１４３に各種画面を表示する必要がなくなるので、診療所内における処理負担が大きくなるというデメリットも生じない。【００８９】  もっとも、本形態によると、患者はポイントをリアルタイムに知ることができなくなるが、インセンティブをお知らせする際に確定ポイントの増減もお知らせするようにしているので、患者が混乱するという不具合を回避することができる。このお知らせ画面には、累計確定ポイントが含まれてもよい。この場合、累計確定ポイントは、ポイント・課金記憶部３６０に記憶されている確定ポイントを累計することにより得ることができる。あるいは、図１７に示されるように、確定ポイントだけでなく累計確定ポイントもポイント・課金記憶部３６０に記憶しておく構成を採用してもよい。【００９０】  なお、ステップ３６では、確定ポイントとインセンティブのお知らせ画面を表示することとしているが、本発明はこれに限定されない。すなわち、ステップ３６では、確定ポイントとアドバイスのお知らせ画面を表示するようにしてもよい。【００９１】  図１８は、確定ポイントとアドバイスのお知らせ画面例を示す図である。このお知らせ画面には、前回までに獲得した累計確定ポイントと、今回獲得した確定ポイントと、その２つの合計である現在の累計確定ポイントと、アドバイス情報とが含まれる。すなわち、確定ポイントとともに、暫定ポイントに基づいて作成された���ドバイス情報をクライアント端末１０１の表示部１１３に表示することも可能である。このお知らせ画面には、現在までの累計暫定ポイントが含まれてもよい。このようにすれば、前記した通り、患者の生活習慣改善に対する努力を否定することがなく評価するため、生活習慣改善の実施を継続させる効果がある。このように、確定ポイントとともにアドバイス情報を表示する構成は、実施の形態１においても採用することができるのは言うまでもない。【００９２】  また、ここでは、記録媒体としてＳＤカードを例示したが、記録媒体はＳＤカードに限定されない。すなわち、ｍｉｎｉＳＤカード、メモリースティック、コンパクトフラッシュ（登録商標）、マイクロドライブ、ＸＤピクチャカード、ＵＳＢメモリなど、持ち運び可能な不揮発性メモリであればよい。【００９３】  また、ここでは、診療所端末１０４に外部メモリ接続部を備えた構成について説明したが、本発明はこれに限定されない。例えば、サーバ装置３と診療所端末１０４とが診療所内に設置されている場合は、サーバ装置３に外部メモリ接続部を備える構成としてもよい。この場合、サーバ装置３の外部接続メモリ部にＳＤカードを接続すると、クライアント端末１０１によってＳＤカードに記録された情報を直接サーバ装置３において読み込むことが可能となる。【００９４】  （実施の形態３）
前記実施の形態１では、患者に対してポイントを付与する構成について説明したが、本実施の形態３では、患者だけでなく診療所などの第三者機関に対してもポイントを付与する構成を採用している。すなわち、本実施の形態３におけるインセンティブ情報作成部３２０は、患者に対するインセンティブ情報だけでなく第三者機関に対するインセンティブ情報も作成する。この第三者機関インセンティブ情報とは、第三者機関の取り組みに対するインセンティブを高めるための情報である。その他の構成については、前記実施の形態１と同じである。【００９５】  図１９は、本発明の実施の形態３における生活習慣改善支援システムが診療所にポイントを付与する動作を示すフローチャートである。【００９６】  まず、前記実施の形態１において説明した各ステップが実行される。すなわち、診療所を受診している患者が生活習慣改善を家庭で実施すると、その実施情報が生活習慣改善支援システムに送信される。これにより、患者は、診療所での検査結果に基づいて算出された確定ポイントを得る。その結果、図５に示されるように、確定ポイントが患者ごとに記憶されることになる（ステップ２１）。【００９７】  そこで、サーバ装置３のインセンティブ情報作成部３２０は、一定期間（例えば１ヶ月）単位で確定ポイント数を診療所ＩＤごとに集計する（ステップ２２→２３）。確定ポイント数が多い診療所は、生活習慣改善に取組んでいる患者数が多い診療所であるか、生活習慣改善がよく出来ている患者数が多い診療所であるか、又はその両方であるということができる。【００９８】  よって、サーバ装置３のインセンティブ情報作成部３２０は、診療所が獲得した合計確定ポイント数により診療所を順位付けする（ステップ２４）。例えば、１位の診療所には５ポイントを、２位の診療所には４ポイントを、３位の診療所には３ポイントを、４位の診療所には２ポイントを、５位の診療所には１ポイントを、それぞれ診療所ポイントとして与えると（ステップ２５）、その結果がポイント・課金記憶部３６０の中に別のフォーマットで記憶される。【００９９】  図２０は、ポイント・課金記憶部３６０に記憶されているデータ例を示す図である。図２０に示されるように、ポイント・課金記憶部３６０は、日付、診療所ＩＤ、確定ポイント総数、順位、診療所ポイントをそれぞれ関連付けて記憶する。ここでは、１１月度の順位付けを表している。すなわち、１５ポイントの累計診療所ポイントを獲得したＩＤ△△△△の診療所が１位であり、１２ポイントの累計診療所ポイントを獲得したＩＤ△△△□の診療所が２位である状態を表している。【０１００】  このような順位付けができると、その結果を患者に示す（ステップ２６）。この示し方は、例えばインターネットを通じて示す方法など様々あり、特に限定されない。【０１０１】  以上のように、本実施の形態３では、患者だけでなく診療所に対してもポイントを付与する構成を採用しているので、その診療所ポイントを患者に示すことができる。これにより、診療所の生活習慣改善に対する取り組みを客観的にアピールすることができ、患者の受診中断などによる診療所離れを抑制する効果が得られる。【０１０２】  なお、診療所ポイントが一定ポ��ント以上になった場合は、診療所の本システム使用料金を割引くサービスなどを導入してもよい。このようにすれば、医療機関が生活習慣改善に取り組みやすくなるという効果を期待することができる。【０１０３】  このようなシステムを用いた生活習慣改善サービスを実施する場合は、以下のような事業体が参画したサービス事業を構築することが考えられる。すなわち、サーバ装置３を運営するサービス提供体を保険会社とし、患者へのサービスを生命保険とし、患者に対するインセンティブを掛け金のキャッシュバックとする。この場合、第三者機関である医療機関に対して、サービス提供体である保険会社がその効果度合いによりインセンティブとしてポイントを発行するのが好ましい。このようにすれば、ポイントを公表することによって医療機関の優良度を患者に提示することができるので、医療機関の認知度を高め、患者を集める効果を得ることができる。
【産業上の利用可能性】
【０１０４】  本発明に係る生活習慣改善支援善システムは、インセンティブ情報を正確に付与することが必要な、生活習慣病患者（特に高血圧患者）の生活習慣の改善を支援するためのシステムとして有用である。
【図１】
2006098298.tif 000002
【図２】
2006098298.tif 000003
【図３】
2006098298.tif 000004
【図４】
2006098298.tif 000005
【図５】
2006098298.tif 000006
【図６】
2006098298.tif 000007
【図７】
2006098298.tif 000008
【図８】
2006098298.tif 000009
【図９】
2006098298.tif 000010
【図１０】
2006098298.tif 000011
【図１１】
2006098298.tif 000012
【図１２】
2006098298.tif 000013
【図１３】
2006098298.tif 000014
【図１４】
2006098298.tif 000015
【図１５】
2006098298.tif 000016
【図１６】
2006098298.tif 000017
【図１７】
2006098298.tif 000018
【図１８】
2006098298.tif 000019
【図１９】
2006098298.tif 000020
【図２０】
2006098298.tif 000021
【手続補正書】
【提出日】平成18年7月14日(2006.7.14)
【手続補正１】
【補正対象書類名】特許請求の範囲
【補正対象項目名】全文
【補正方法】変更
【補正の内容】
【特許請求の範囲】
【請求項１】
生活習慣の改善を支援するシステムであって、
患者によって申告される前記患者の生体情報である第１の生体情報を取得する第１の生体情報取得手段と、
第三者機関によって申告される前記患者の生体情報であり、前記第１の生体情報と相関のある第２の生体情報を取得する第２の生体情報取得手段と、
前記第１の生体情報と前記第２の生体情報とに基づいて、前記患者の生活習慣の改善に対するインセンティブを高めるための情報であるインセンティブ情報を作成するインセンティブ情報作成手段と、
前記インセンティブ情報を出力する出力手段と
を備える生活習慣改善支援システム。
【請求項２】
前記インセンティブ情報作成手段は、前記第１の生体情報に基づいて、暫定的な前記インセンティブ情報である暫定インセンティブ情報を作成した後、前記暫定インセンティブ情報と前記第２の生体情報とに基づいて、確定的な前記インセンティブ情報である確定インセンティブ情報を作成する
請求項１記載の生活習慣改善支援システム。
【請求項３】
前記生活習慣改善支援システムは、さらに、前記第１の生体情報と前記第２の生体情報との相関関係を記憶する相関関係記憶手段を備え、
前記インセンティブ情報作成手段は、前記相関関係と前記第１の生体情報とに基づいて前記第２の生体情報の予想値を求め、前記第２の生体情報の予想値と前記第２の生体情報との乖離度合いが小さいほど、前記患者の生活習慣の改善に対するインセンティブがより高まるように、前記確定インセンティブ情報を作成する
請求項２記載の生活習慣改善支援システム。
【請求項４】
前記生活習慣改善支援システムは、さらに、前記第２の生体情報の目標値を記憶する目標値記憶手段を備え、
前記インセンティブ情報作成手段は、前記目標値に対する前記第２の生体情報の達成度合いが高いほど、前記患者の生活習慣の改善に対するインセンティブがより高まるように、前記確定インセンティブ情報を作成する
請求項３記載の生活習慣改善支援システム。
【請求項５】
前記生活習慣改善支援システムは、さらに、前記第２の生体情報を記憶する生体情報記憶手段を備え、
前記インセンティブ情報作成手段は、前回の前記第２の生体情報に対する今回の前記第２の生体情報の改善度合いが高いほど、前記患者の生活習慣の改善に対するインセンティブがより高まるように、前記確定インセンティブ情報を作成する
請求項３記載の生活習慣改善支援システム。
【請求項６】
前記生活習慣改善支援システムは、さらに、前記第１の生体情報に基づいて、前記患者の生活習慣の改善に対するアドバイスを示す情報であるアドバイス情報を作成するアドバイス情報作成手段を備え、
前記出力手段は、前記アドバイス情報を出力する
請求項１記載の生活習慣改善支援システム。
【請求項７】
前記インセンティブ情報作成手段は、前記インセンティブ情報に基づいて、前記第三者機関の取り組みに対するインセンティブを高めるための情報である第三者機関インセンティブ情報を作成し、
前記出力手段は、前記第三者機関インセンティブ情報を出力する
請求項１記載の生活習慣改善支援システム。
【請求項８】
前記生活習慣改善支援システムは、さらに、前記患者が所有するクライアント端末と、前記第三者機関が所有する第三者機関端末とを備え、
前記クライアント端末は、
前記第１の生体情報の入力を受け付ける第１の生体情報受付手段と、
前記第１の生体情報受付手段により受け付けられた前記第１の生体情報を前記第１の生体情報取得手段にネットワークを介して送信する第１の生体情報送信手段とを備え、
前記第三者機関端末は、
前記第２の生体情報の入力を受け付ける第２の生体情報受付手段と、
前記第２の生体情報受付手段により受け付けられた前記第２の生体情報を前記第２の生体情報取得手段に前記ネットワークを介して送信する第２の生体情報送信手段とを備える、
請求項１記載の生活習慣改善支援システム。
【請求項９】
前記生活習慣改善支援システムは、さらに、前記患者が所有するクライアント端末と、前記第三者機関が所有する第三者機関端末とを備え、
前記クライアント端末は、
前記第１の生体情報の入力を受け付ける第１の生体情報受付手段と、
前記第１の生体情報受付手段により受け付けられた前記第１の生体情報を前記第１の生体情報取得手段に記録媒体を介して送信する第１の生体情報送信手段とを備え、
前記第三者機関端末は、
前記第２の生体情報の入力を受け付ける第２の生体情報受付手段と、
前記第２の生体情報受付手段により受け付けられた前記第２の生体情報を前記第２の生体情報取得手段にネットワークを介して送信する第２の生体情報送信手段とを備える、
請求項１記載の生活習慣改善支援システム。
【請求項１０】
前記第１の生体情報は、前記患者の生活習慣の結果を示す情報である
請求項１記載の生活習慣改善システム。
【請求項１１】
生活習慣の改善を支援する方法であって、
患者によって申告される前記患者の生体情報である第１の生体情報を取得する第１の生体情報取得ステップと、
第三者機関によって申告される前記患者の生体情報であり、前記第１の生体情報と相関のある第２の生体情報を取得する第２の生体情報取得ステップと、
前記第１の生体情報と前記第２の生体情報とに基づいて、前記患者の生活習慣の改善に対するインセンティブを高めるための情報であるインセンティブ情報を作成するインセンティブ情報作成ステップと、
前記インセンティブ情報を出力する出力ステップと
を含む生活習慣改善支援方法。
【請求項１２】
前記インセンティブ情報作成ステップにおいて、前記第１の生体情報に基づいて、暫定的な前記インセンティブ情報である暫定インセンティブ情報を作成した後、前記暫定インセンティブ情報と前記第２の生体情報とに基づいて、確定的な前記インセンティブ情報である確定インセンティブ情報を作成する
請求項１１記載の生活習慣改善支援方法。
【請求項１３】
前記インセンティブ情報作成ステップにおいて、前記第１の生体情報と前記第２の生体情報との相関関係と前記第１の生体情報とに基づいて前記第２の生体情報の予想値を求め、前記第２の生体情報の予想値と前記第２の生体情報との乖離度合いが小さいほど、前記患者の生活習慣の改善に対するインセンティブがより高まるように、前記確定インセンティブ情報を作成する
請求項１２記載の生活習慣改善支援方法。
【請求項１４】
前記生活習慣改善支援方法は、さらに、前記第１の生体情報に基づいて、前記患者の生活習慣の改善に対するアドバイスを示す情報であるアドバイス情報を作成するアドバイス情報作成ステップを含み、
前記出力ステップにおいて、前記アドバイス情報を出力する
請求項１１記載の生活習慣改善支援方法。
【請求項１５】
前記インセンティブ情報作成ステップにおいて、前記患者の生活習慣の改善に対するインセンティブを高めるための情報であるインセンティブ情報に基づいて、前記第三者機関の取り組みに対するインセンティブを高めるための情報である第三者機関インセンティブ情報を作成し、
前記出力ステップにおいて、前記第三者機関インセンティブ情報を出力する
請求項１１記載の生活習慣改善支援方法。
【請求項１６】
生活習慣の改善を支援するためのプログラムであって、
患者によって申告される前記患者の生体情報である第１の生体情報を取得する第１の生体情報取得ステップと、
第三者機関によって申告される前記患者の生体情報であり、前記第１の生体情報と相関のある第２の生体情報を取得する第２の生体情報取得ステップと、
前記第１の生体情報と前記第２の生体情報とに基づいて、前記患者の生活習慣の改善に対するインセンティブを高めるための情報であるインセンティブ情報を作成するインセンティブ情報作成ステップと、
前記インセンティブ情報を出力する出力ステップと
をコンピュータに実行させるためのプログラム。
【手続補正２】
【補正対象書類名】明細書
【補正対象項目名】全文
【補正方法】変更
【補正の内容】
【発明の詳細な説明】
【技術分野】
【０００１】
本発明は、生活習慣の改善を支援するシステムに関し、特に、システムの利用者に対してポイントなどのインセンティブ情報を付与する際の技術に関する。
【背景技術】
【０００２】
生活習慣病の治療において、食事療法と運動療法は基本的な事項である。しかしながら、それらは、日常生活において患者が常に気を付ける必要があることから、継続することが困難であることが多い。
【０００３】
近年、運動継続の中止を防止するために、運動量を得点化し、測定期間内に所定の運動目標に達していれば加点、達成していなければ減点する技術が提案されている（例えば、特許文献１参照）。あるいは、運動を楽しく長期間継続させることを目的として、運動量をキャラクタで表示し、達成度に応じてキャラクタが成長したり、継続期間や中断の程度に応じてキャラクタの体型や表情が変化したりする歩数計が提案されている（例えば、特許文献２参照）。
【０００４】
しかしながら、このような機能を備えた歩数計を使用していても具体的に得るものがないため、利用者によっては満足感が得られない場合がある。結局は、同じ運動の繰り返しであるために飽きが生じ、日々の運動を継続することについて達成感が得られないことが多い。
【０００５】
そこで、特許文献３で提案されている健康機器では、適切な運動の継続、効果ある運動量、定められた日時での生体情報の測定、医師のアドバイスに従った測定や生活など、健康の維持増進のための行為や測定値の改善があったときに、利用者に対してポイントを付与する。そして、このポイントが所定のポイントに達したら、利用者が商品やサービスを入手することができるようになっている。
【特許文献１】特開平１１−１７８９６７号公報
【特許文献２】特開平１１−５２８３４号公報
【特許文献３】特開２００３−１４１２６０号公報
【発明の開示】
【発明が解決しようとする課題】
【０００６】
しかしながら、上記従来技術によると、健康機器を用いた運動や測定等を利用者本人が行ったかどうかを確かめることは困難である。例えば、利用者の代わりにその家族の者が測定を行なったとしても、その測定結果に応じたポイントが付与されてしまう。このため、利用者に対して、必ずしも正しいポイントを付与することができないという課題がある。
【０００７】
本発明は、上記従来の問題点に鑑み、ポイント等のインセンティブ情報を正確に付与することができる生活習慣改善支援システムを提供することを目的とする。
【課題を解決するための手段】
【０００８】
前記目的を達成するために、本発明に係る生活習慣改善支援システムは、患者によって申告される前記患者の生体情報である第１の生体情報を取得する第１の生体情報取得手段と、第三者機関によって申告される前記患者の生体情報であり、前記第１の生体情報と相関のある第２の生体情報を取得する第２の生体情報取得手段と、前記第１の生体情報と前記第２の生体情報とに基づいて、前記患者の生活習慣の改善に対するインセンティブを高めるための情報であるインセンティブ情報を作成するインセンティブ情報作成手段と、前記インセンティブ情報を出力する出力手段とを備える。
【０００９】
また、本発明に係る生活習慣改善支援方法は、患者によって申告される前記患者の生体情報である第１の生体情報を取得する第１の生体情報取得ステップと、第三者機関によって申告される前記患者の生体情報であり、前記第１の生体情報と相関のある第２の生体情報を取得する第２の生体情報取得ステップと、前記第１の生体情報と前記第２の生体情報とに基づいて、前記患者の生活習慣の改善に対するインセンティブを高めるための情報であるインセンティブ情報を作成するインセンティブ情報作成ステップと、前記インセンティブ情報を出力する出力ステップとを含む。
【００１０】
また、本発明に係る生活習慣改善支援プログラムは、患者によって申告される前記患者の生体情報である第１の生体情報を取得する第１の生体情報取得ステップと、第三者機関によって申告される前記患者の生体情報であり、前記第１の生体情報と相関のある第２の生体情報を取得する第２の生体情報取得ステップと、前記第１の生体情報と前記第２の生体情報とに基づいて、前記患者の生活習慣の改善に対するインセンティブを高めるための情報であるインセンティブ情報を作成するインセンティブ情報作成ステップと、前記インセンティブ情報を出力する出力ステップとをコンピュータに実行させるためのプログラムである。
【発明の効果】
【００１１】
本発明に係る生活習慣改善支援システムによれば、インセンティブ情報を正確に付与することが可能になるという効果が奏される。
【発明を実施するための最良の形態】
【００１２】
本発明に係る生活習慣改善支援システムは、患者によって申告される前記患者の生体情報である第１の生体情報を取得する第１の生体情報取得手段と、第三者機関によって申告される前記患者の生体情報であり、前記第１の生体情報と相関のある第２の生体情報を取得する第２の生体情報取得手段と、前記第１の生体情報と前記第２の生体情報とに基づいて、前記患者の生活習慣の改善に対するインセンティブを高めるための情報であるインセンティブ情報を作成するインセンティブ情報作成手段と、前記インセンティブ情報を出力する出力手段とを備える。これにより、患者によって申告される第１の生体情報だけでなく、第三者機関によって申告される第２の生体情報にも基づいてインセンティブ情報が作成されることになるので、患者に対してインセンティブ情報を正確に付与することが可能となる。
【００１３】
また、前記インセンティブ情報作成手段は、前記第１の生体情報に基づいて、暫定的な前記インセンティブ情報である暫定インセンティブ情報を作成した後、前記暫定インセンティブ情報と前記第２の生体情報とに基づいて、確定的な前記インセンティブ情報である確定インセンティブ情報を作成する。これにより、出力手段によって暫定インセンティブ情報が出力された場合は、患者の生活習慣改善に対する努力を否定することがなく評価するため、生活習慣改善の実施を継続させる効果がある。他方、出力手段によって確定インセンティブ情報が出力された場合は、正確に付与されたインセンティブ情報が患者に提示されることになるので、第１の生体情報が患者本人の生体情報であるときは、患者に対して高いインセンティブが働くようにすることが可能となる。
【００１４】
また、前記生活習慣改善支援システムは、さらに、前記第１の生体情報と前記第２の生体情報との相関関係を記憶する相関関係記憶手段を備え、前記インセンティブ情報作成手段は、前記相関関係と前記第１の生体情報とに基づいて前記第２の生体情報の予想値を求め、前記第２の生体情報の予想値と前記第２の生体情報との乖離度合いが小さいほど、前記患者の生活習慣の改善に対するインセンティブがより高まるように、前記確定インセンティブ情報を作成する。これにより、相関関係が明らかな疾患については予想値を正確に得ることができるので、第１の生体情報に含まれる虚偽の程度が低いほど、予想値と第２の生体情報との乖離度合いも小さくなる。すなわち、乖離度合いが小さいほど、患者に対してより高いインセンティブが働くことになり、患者がより積極的に生活習慣を改善することを期待することができる。
【００１５】
また、前記生活習慣改善支援システムは、さらに、前記第２の生体情報の目標値を記憶する目標値記憶手段を備え、前記インセンティブ情報作成手段は、前記目標値に対する前記第２の生体情報の達成度合いが高いほど、前記患者の生活習慣の改善に対するインセンティブがより高まるように、前記確定インセンティブ情報を作成する。これにより、日常の生活習慣改善が治療に効果的であった場合に、患者に対して大きなインセンティブが働くようにすることが可能となる。すなわち、目標値に対する第２の生体情報の達成度合いが高いほど、患者に対してより高いインセンティブが働くことになり、患者がより積極的に生活習慣を改善することを期待することができる。
【００１６】
また、前記生活習慣改善支援システムは、さらに、前記第２の生体情報を記憶する生体情報記憶手段を備え、前記インセンティブ情報作成手段は、前回の前記第２の生体情報に対する今回の前記第２の生体情報の改善度合いが高いほど、前記患者の生活習慣の改善に対するインセンティブがより高まるように、前記確定インセンティブ情報を作成する。これにより、日常の生活習慣改善が治療に効果的であった場合に、患者に対して大きなインセンティブが働くようにすることが可能となる。すなわち、前回に対する今回の第２の生体情報の改善度合いが高いほど、患者に対してより高いインセンティブが働くことになり、患者がより積極的に生活習慣を改善することを期待することができる。
【００１７】
また、前記生活習慣改善支援システムは、さらに、前記第１の生体情報に基づいて、前記患者の生活習慣の改善に対するアドバイスを示す情報であるアドバイス情報を作成するアドバイス情報作成手段を備え、前記出力手段は、前記アドバイス情報を出力する。これにより、患者は、自分にあった具体的なアドバイスを受けることになるため、より生活習慣改善の効果を上げることが可能となる。
【００１８】
また、前記インセンティブ情報作成手段は、前記インセンティブ情報に基づいて、前記第三者機関の取り組みに対するインセンティブを高めるための情報である第三者機関インセンティブ情報を作成し、前記出力手段は、前記第三者機関インセンティブ情報を出力する。これにより、第三者機関の取り組みに対するインセンティブ情報を患者に示すことが可能となる。
【００１９】
また、前記生活習慣改善支援システムは、さらに、前記患者が所有するクライアント端末と、前記第三者機関が所有する第三者機関端末とを備え、前記クライアント端末は、前記第１の生体情報の入力を受け付ける第１の生体情報受付手段と、前記第１の生体情報受付手段により受け付けられた前記第１の生体情報を前記第１の生体情報取得手段にネットワークを介して送信する第１の生体情報送信手段とを備え、前記第三者機関端末は、前記第２の生体情報の入力を受け付ける第２の生体情報受付手段と、前記第２の生体情報受付手段により受け付けられた前記第２の生体情報を前記第２の生体情報取得手段に前記ネットワークを介して送信する第２の生体情報送信手段とを備える。これにより、クライアント端末と第三者機関端末とサーバ装置との間でリアルタイムに情報が送受信されるので、患者は即座に情報を入手することができる。
【００２０】
また、前記生活習慣改善支援システムは、さらに、前記患者が所有するクライアント端末と、前記第三者機関が所有する第三者機関端末とを備え、前記クライアント端末は、前記第１の生体情報の入力を受け付ける第１の生体情報受付手段と、前記第１の生体情報受付手段により受け付けられた前記第１の生体情報を前記第１の生体情報取得手段に記録媒体を介して送信する第１の生体情報送信手段とを備え、前記第三者機関端末は、前記第２の生体情報の入力を受け付ける第２の生体情報受付手段と、前記第２の生体情報受付手段により受け付けられた前記第２の生体情報を前記第２の生体情報取得手段にネットワークを介して送信する第２の生体情報送信手段とを備える。これにより、クライアント端末がインターネット等のネットワークに接続されていない場合でも、患者は本システムを利用することが可能となる。
【００２１】
また、前記第１の生体情報は、前記患者の生活習慣の結果を示す情報である。これにより、例えば運動量のように、患者の体内に存在する物質とは言えないものでも、患者の生活習慣の結果を示す情報である以上、本システムにおいて利用することが可能となる。
【００２２】
なお、本発明は、このような生活習慣改善支援システムとして実現することができるだけでなく、このような生活習慣改善支援システムが備える特徴的な手段をステップとする生活習慣改善支援方法として実現したり、それらのステップをコンピュータに実行させるプログラムとして実現したりすることもできる。そして、そのようなプログラムは、ＣＤ−ＲＯＭ等の記録媒体やインターネット等の伝送媒体を介して配信することができるのは言うまでもない。
【００２３】
以下、本発明の実施の形態について図面を用いて詳細に説明する。
【００２４】
（実施の形態１）
図１は、本発明の実施の形態１における生活習慣改善支援システムの概略構成図である。このシステムは、生活習慣の改善を支援するシステムである。ここでは、ＡＤＳＬや携帯電話網などの通信網２を介して、クライアント端末１と、サーバ装置３と、第三者機関端末である診療所端末４とが接続されている状態を表している。
【００２５】
クライアント端末１は、患者が所有する端末であり、電源ボタン１０、情報入力部１１、測定部１２、表示部１３、ＣＰＵ１４、送受信部１５、及び情報記憶部１６を備えている。電源ボタン１０は、本端末１の電源をオン／オフするためのボタンである。情報入力部１１は、情報を入力するためのキーボード等である。測定部１２は、尿中の塩分を定量的に測定することが可能な使い捨て型の測定チップ等であり、本発明に係る第１の生体情報受付手段に相当する。表示部１３は、後述するインセンティブ情報やアドバイス情報などを表示するためのディスプレイ等である。ＣＰＵ１４は、生活習慣改善支援に関係する各種処理を行う中央演算処理装置である。送受信部１５は、サーバ装置３等との間で情報を送受信する通信ボード等であり、本発明に係る第１の生体情報送信手段に相当する。情報記憶部１６は、患者ＩＤなどの情報を記憶するハードディスク等である。
【００２６】
サーバ装置３は、当該システムによって実現されるサービス（以下、単に「サービス」という）の提供体が所有する装置であり、送受信部３１、ＣＰＵ３２、及び情報記憶部３３を備えている。送受信部３１は、クライアント端末１等との間で情報を送受信する通信ボード等であり、本発明に係る第１の生体情報取得手段、第２の生体情報取得手段、及び出力手段に相当する。ＣＰＵ３２は、生活習慣改善支援に関係する各種処理を行う中央演算処理装置である。情報記憶部３３は、生体情報など各種情報を記憶するハードディスク等である。
【００２７】
診療所端末４は、診療所などの第三者機関が所有する端末であり、電源ボタン４０、情報入力部４１、表示部４３、ＣＰＵ４４、送受信部４５、及び情報記憶部４６を備えている。電源ボタン４０は、本端末４の電源をオン／オフするためのボタンである。情報入力部４１は、情報を入力するためのキーボード等であり、本発明に係る第２の生体情報受付手段に相当する。表示部４３は、後述する検査結果などを表示するためのディスプレイ等である。ＣＰＵ４４は、生活習慣改善支援に関係する各種処理を行う中央演算処理装置である。送受信部４５は、サーバ装置３等との間で情報を送受信する通信ボード等であり、本発明に係る第２の生体情報送信手段に相当する。情報記憶部４６は、診療所ＩＤなどの情報を記憶するハードディスク等である。
【００２８】
図２は、前記サーバ装置３の詳細構成図である。図２に示されるように、サーバ装置３は、機能的には、送受信部３１０と、インセンティブ情報作成部３２０と、アドバイス情報作成部３３０と、相関関係記憶部３４０と、生体情報記憶部３５０と、ポイント・課金記憶部３６０を備えている。
【００２９】
送受信部３１０は、前記送受信部３１（図１参照）を機能的に表した手段である。インセンティブ情報作成部３２０は、本発明に係るインセンティブ情報作成手段に相当し、インセンティブ情報を作成する。インセンティブ情報とは、患者に与えるポイントなど、患者の生活習慣の改善に対するインセンティブを高めるための情報をいう。インセンティブ情報作成部３２０は、暫定的なインセンティブ情報を作成する暫定部３２１と、この暫定的なインセンティブ情報を修正する修正部３２２とを有する。修正部３２２が暫定的なインセンティブ情報を修正すると、確定的なインセンティブ情報が作成されることになる。アドバイス情報作成部３３０は、本発明に係るアドバイス情報作成手段に相当し、アドバイス情報を作成する。アドバイス情報とは、患者の生活習慣の改善に対するアドバイスを示す情報をいう。相関関係記憶部３４０は、本発明に係る相関関係記憶手段に相当し、測定結果等とポイントとの相関関係（後述する）や、第１の生体情報と第２の生体情報との相関関係を記憶している。ここで、第１の生体情報とは、尿中塩分など、患者によって申告される患者の生体情報をいい、第２の生体情報とは、血圧値など、第三者機関によって申告される患者の生体情報をいう。第１の生体情報と第２の生体情報との間には相関関係がある（後述する）。生体情報記憶部３５０は、本発明に係る生体情報記憶手段に相当し、第１の生体情報や第２の生体情報などの生体情報を記憶する。ポイント・課金記憶部３６０は、ポイントや課金に関する情報を記憶する。
【００３０】
ところで、生活習慣病の患者は、医者の指導の下で目標をもって生活習慣の改善に取り組んでいる。特に、高血圧患者は、食事指導において塩分量の上限目標を意識して生活している。また、食事において摂取した塩分量は、尿中に排泄された塩分量から見積もることが可能である。本実施の形態では、患者は、毎日一定時刻に尿中塩分を測定し、その測定結果をクライアント端末１からサーバ装置３に送信する。サーバ装置３は、患者の生活習慣改善状態を判定し、その判定結果をポイントに換算してクライアント端末１に返送する。これにより、患者は、日々の自分の食事を振り返ることが可能となる。
【００３１】
前記ポイント付与の一例を示す。例えば、早朝第一尿の塩分濃度を測定する場合において、塩分濃度の目標値を２ｇ／ｌとしたとき、測定塩分濃度が２ｇ／ｌ以内であれば＋５ポイント、４ｇ／ｌ以内であれば＋３ポイント、６ｇ／ｌ以内であれば＋１ポイントを付与する。また、測定頻度の目標数を３回／週としたとき、測定頻度が４回／週以上であれば＋５ポイント、３回／週であれば＋３ポイント、１〜２回／週であれば＋１ポイントを付与する。さらに、このときは、測定頻度が１２回／月を越えるとボーナスポイントとして＋５ポイントを付与する。このように早朝第１尿の塩分濃度の測定結果および測定頻度とポイントとの相関関係は相関関係記憶部３４０に記憶されている。サーバ装置３のインセンティブ情報作成部３２０は、この相関関係に基づいて測定結果等をポイントに換算する。
【００３２】
図３は、本発明の実施の形態１における生活習慣改善支援システムの動作を示すフローチャートである。以下、図１から図３を用いて、本生活習慣改善支援システムの動作を説明する。
【００３３】
患者は、測定部１２を用いて日々の測定を実施して、得られた測定結果をクライアント端末１からサーバ装置３に送信する（ステップ１）。このように送信される情報には、測定結果だけでなく、送信元の端末情報、測定日時、および測定頻度も含まれる。端末情報は、例えば、患者を識別するための情報である患者ＩＤであり、患者ＩＤは、クライアント端末１の情報記憶部１６に予め記憶されている。このように、本生活習慣改善支援システムでは、患者ＩＤを用いて情報を送受信するため、個人情報の漏洩に配慮した仕組みを導入している。測定日時は、尿中塩分濃度を測定した日時を示す情報である。測定頻度は、尿中塩分濃度を測定した頻度を示す情報であり、例えば１回／９月第１週など、一定期間における測定回数により表すことができる。
【００３４】
クライアント端末１によって送信された情報は、サーバ装置３の送受信部３１によって受信され、生体情報記憶部３５０に記憶される（ステップ２）。図４は、生体情報記憶部３５０に記憶されているデータ例を示す図である。図４に示されるように、生体情報記憶部３５０は、サーバ受信日時、患者ＩＤ、診療所ＩＤ、測定日時、塩分測定結果、塩分測定頻度、診療所測定結果をそれぞれ関連付けて記憶する。
【００３５】
次に、サーバ装置３内の暫定部３２１は、測定結果をポイントに換算し、そのポイントとその時点における累計ポイントとをポイント・課金記憶部３６０に記憶する（ステップ３）。ここで換算したポイントは暫定的なポイントであり、確定はしていない。また、サーバ装置３内の暫定部３２１は、測定結果とともに送信されてきた測定頻度をポイントに換算し、測定結果から得られた暫定ポイントと併せて累計暫定ポイントとする。この際、暫定ポイントは、塩分濃度の目標値と測定頻度の目標値とに基づいて判定される。塩分濃度の目標値と測定頻度の目標値とは、診療所端末４からサーバ装置３に送信され、サーバ装置３の相関関係記憶部３４０に記憶されている。
【００３６】
図５は、ポイント・課金記憶部３６０に記憶されているデータ例を示す図である。図５に示されるように、ポイント・課金記憶部３６０は、患者ＩＤ、診療所ＩＤ、受信日時、暫定ポイント、累計暫定ポイント、使用ポイント、確定ポイントをそれぞれ関連付けて記憶する。
【００３７】
図４に示されるように、2004年9月2日の測定については、測定塩分濃度が４ｇ／ｌであるので＋３ポイントが付与される。この測定は９月第１週の１回目の測定であるため、さらに＋１ポイントが付与される。したがって、図５に示すように、2004年9月2日の測定に対して合計４ポイントが暫定ポイントとして付与される。
【００３８】
同様に、2004年9月3日の測定については、測定塩分濃度が２ｇ／ｌであるので＋５ポイントが付与される。この測定は９月第１週の２回目の測定であるため、測定頻度に対するポイントの追加はない。したがって、2004年9月３日の測定に対して合計５ポイントが暫定ポイントとして付与され、累計暫定ポイントは９ポイントとなる。
【００３９】
次に、2004年9月5日の測定については、測定塩分濃度が６ｇ／ｌであるので＋１ポイントが付与される。この測定は９月第１週の３回目の測定であるため、さらに＋３ポイントが付与される。したがって、2004年9月５日の測定に対して合計４ポイントが暫定ポイントとして付与され、累計暫定ポイントは１３ポイントとなる。これにより、９月第１週の測定に対する累計暫定ポイントは１３ポイントとなる。
【００４０】
アドバイス情報作成部３３０は、アドバイス情報を作成する（ステップ４）。このアドバイスには、前日の食事に対する評価と、その日の食事の目標とが含まれる。例えば、患者の尿中の塩分測定結果を判定することで前日の食事で摂取した塩分量が目標値内であれば、その前日の食事内容は患者に適していることを褒め、かつそのような生活を続けることを示唆する内容とする。一方、目標値から大幅に外れている場合は、まずは測定を行ったことについて褒めた上で、患者に原因特定の作業をするよう促す内容（すなわち、前日の食事内容において何が塩分量を多くした原因なのかを患者に思い起こさせるような内容）とする。
【００４１】
このようにクライアント端末１から測定結果が送信されてくる度に、累計暫定ポイントが算出され、また、アドバイス情報が作成される。この累計暫定ポイントとアドバイス情報とは、サーバ装置３の送受信部３１０によってクライアント端末１に送信され、クライアント端末１の送受信部１５によって受信される。これにより、クライアント端末１の表示部１３には、暫定ポイントとアドバイスのお知らせ画面が表示される。
【００４２】
図６は、暫定ポイントとアドバイスのお知らせ画面例を示す図である。このお知らせ画面には、前回までに獲得した累計暫定ポイントと、今回獲得した暫定ポイントと、その２つの合計である現在の累計暫定ポイントと、アドバイス情報とが含まれる。すなわち、患者の自己申告による第１の生体情報に基づいて作成されたインセンティブ情報もクライアント端末１に送信されることになる。このようにすれば、患者の生活習慣改善に対する努力を否定することがなく評価するため、生活習慣改善の実施を継続させる効果がある。また、測定結果だけでなく測定頻度にも基づいて作成されたインセンティブ情報がクライアント端末１に送信されることになるので、測定に対する患者の積極性が高まることを期待することができる。
【００４３】
このような生活習慣改善を１ヶ月続けた後、患者は診療所で診察を受ける。医師は、その診察時のデータ（診療所データ）を診療所に設置した診療所端末４からサーバ装置３に送信する（ステップ５）。ここでいう診療所データとは、検査結果と患者ＩＤと測定日時と診療所ＩＤであり、検査結果とは、診療所での検査において測定された血圧値である。
【００４４】
診療所端末４からの診療所データは、サーバ装置３の送受信部３１によって受信され、生体情報記憶部３５０に記憶される。ここで、サーバ装置３の修正部３２２は、今回の診療時における血圧値（今回の血圧値）と、前回の診療時における血圧値（前回の血圧値）とを生体情報記憶部３５０から取得し、前回の血圧値に対する今回の血圧値の改善度合いを判定する。例えば、患者が高血圧患者である場合は、今回の血圧値が前回の血圧値を下回るほど、改善度合いは高くなる。そして、その判定の結果に基づいて、過去１ヶ月で患者が獲得した暫定ポイントが確定ポイントに修正されると、この確定ポイントはポイント課金記憶部３６０に記憶される（ステップ６）。このようにすれば、改善度合いが高いほど、より高い確定ポイントを付与することが可能となり、その結果、患者がより積極的に生活習慣改善を実施することを期待することができる。
【００４５】
なお、ここでは、改善度合いに基づいて暫定ポイントを確定ポイントに修正することとしているが、本発明はこれに限定されない。すなわち、患者によって申告されたポイントの妥当性を判定するためには、以下に説明するように、今回の血圧値と予想血圧値との乖離度合いに基づいて暫定ポイントを確定ポイントに修正するのが好ましい。
【００４６】
すなわち、本態性高血圧患者の中には、食塩摂取と高血圧との間に正の相関関係が見られる食塩感受性の高血圧患者が存在する（松岡光明著、「高血圧ナビゲーター」、Ｐ１６−Ｐ１７、株式会社メディカルレビュー社、２０００年１２月１０日発行）。その、摂取食塩量の低下と血圧低下度との相関性（傾き）から、患者の尿中塩分量がわかると、その患者の診療所での検査値（今回の血圧値）を予想することができる。そこで、診療所によって申告された今回の血圧値と、患者によって申告された尿中塩分測定結果から求めた予想血圧値との乖離度合いに基づいて、患者によって申告された尿中塩分測定結果だけを根拠に付与されたポイントの妥当性を判定する。この妥当性の判定作業は、ステップ６において暫定ポイントを確定ポイントにする作業に相当する。例えば、今回の血圧値が｛予想血圧値×９７％〜予想血圧値×１０３％｝の範囲に含まれる場合は、今回の血圧値と予想血圧値との乖離度合いが小さいと判定し、一方、今回の血圧値が｛予想血圧値×９７％〜予想血圧値×１０３％｝の範囲に含まれない場合は乖離度合いが大きいと判定する。そして、乖離度合いが大きいと判定された場合は、獲得した暫定ポイントをそのまま確定ポイントとし、乖離度合いが小さいと判定された場合は、獲得した暫定ポイントの２倍を確定ポイントとする。
【００４７】
次に、サーバ装置３の送受信部３１０によって、確定ポイントと交換可能なインセンティブのメニューがクライアント端末１に送信され、クライアント端末１の送受信部１５によって受信される。これにより、クライアント端末１の表示部１３には、確定ポイントとインセンティブのお知らせ画面が表示される（ステップ７）。
【００４８】
図７は、確定ポイントとインセンティブのお知らせ画面例を示す図である。このお知らせ画面には、確定ポイントとインセンティブとが含まれる。もちろん、現在までの累計暫定ポイントが含まれてもよい。確定ポイントは、新たに獲得した確定ポイントでもよいし、現在までの累計確定ポイントでもよい。累計確定ポイントは、ポイント・課金記憶部３６０に記憶されている確定ポイントを累計することにより得ることができる。あるいは、図８に示されるように、確定ポイントだけでなく累計確定ポイントもポイント・課金記憶部３６０に記憶しておく構成を採用してもよい。インセンティブの例としては、課金料の値引きや、使い捨て型の測定チップの送付や、商品券・景品の送付などがある。そのインセンティブの内容が表示部１３に表示されているので、患者は、その中から情報入力部１１を用いて希望するインセンティブを選択する。この選択結果をクライアント端末１からサーバ装置３に送信することで、患者は、獲得した確定ポイントに応じたインセンティブを享受することができる。その際、クライアント端末１の表示部１３には、インセンティブのお知らせ画面が表示される（ステップ８）。
【００４９】
図９は、インセンティブのお知らせ画面例を示す図である。このお知らせ画面には、患者が享受するインセンティブと、そのインセンティブを享受した後の確定ポイントとが含まれる。もちろん、インセンティブを享受する前の確定ポイントが含まれてもよい。これにより、患者は、インセンティブの申し込み処理が完了したことを知ることができ、また、その申し込み内容に誤りがないことを確認することができる。
【００５０】
図１０は、ポイント確定の動作を示すフローチャートである。以下、図１０、図４、及び図５を用いて、前記したポイント確定の手法を具体的に説明する。
【００５１】
図４に示されるように、2004年9月2日に測定された塩分濃度は４ｇ／ｌであり、2004年9月3日に測定された塩分濃度は２ｇ／ｌであり、2004年9月5日に測定された塩分濃度は６ｇ／ｌであるので、この3日間に測定された塩分濃度の平均値は４ｇ／ｌである（ステップ１１）。この平均値４ｇ／ｌを用いて前月からの摂取食塩量の低下を特定し、患者の摂取食塩量の低下と、相関関係記憶部３４０に記憶されている血圧低下度との相関性（傾き）から予想血圧値を求める（ステップ１２）。そして、今回の血圧値が｛予想血圧値×９７％〜予想血圧値×１０３％｝の範囲に含まれる場合は乖離度合いが小さいと判定し、獲得した暫定ポイントの２倍を確定ポイントとする（ステップ１３→１４）。例えば、図５に示されるように、2004年10月2日の最終的な累計暫定ポイントが12ポイントである場合において乖離度合いが小さいと判定されたときは、この暫定ポイントを２倍して24ポイントを確定ポイントとする。一方、今回の血圧値が｛予想血圧値×９７％〜予想血圧値×１０３％｝の範囲に含まれない場合は乖離度合いが大きいと判定し、獲得した暫定ポイントをそのまま確定ポイントとする（ステップ１３→１５）。例えば、2004年10月2日の最終的な累計暫定ポイントが12ポイントである場合において乖離度合いが大きいと判定されたときは、この暫定ポイントをそのまま確定ポイントとする。
【００５２】
以上のように、本実施の形態の生活習慣改善支援システムでは、クライアント端末１から送信されてきた生体情報だけでなく、診療所端末４から送信されてきた客観的な生体情報をも用いてインセンティブ情報が作成されることになり、インセンティブ情報を正確に付与することができる。例えば、患者の代わりにその家族の者が測定を行なった場合は、その尿中塩分測定結果から求めた予想血圧値と、診療所が測定した患者の血圧値との乖離度合いが大きくなるため、低い確定ポイントを付与することが可能となる。他方、患者本人が測定を行なった場合は、前記乖離度合いが小さくなるため、高い確定ポイントを付与することが可能となる。
【００５３】
また、従来の生活習慣改善支援システムでは、生活習慣改善の実行頻度や実行結果でポイントが決定されており、医師の診断結果を用いてポイントを決定するという手法を取っていなかった。従って、生活習慣改善が無駄に終わったり、あるいはポイント目的の生活習慣改善になってしまったりすることがあり、その結果、本来の目的である病状の改善と結びつかないことがあった。
【００５４】
それに対して、本生活習慣改善支援システムでは、医師の診断結果を考慮してポイントが確定される。そのため、前記したように、生活習慣改善に取り組んだのが本当に患者本人であるかどうか、診療所で測定した検査結果を用いて判定することができる。また、医師の管理下での改善プログラムであることから、治療に効果的な範囲で目標設定をすることが可能である。
【００５５】
もちろん、日々の生活習慣改善の結果が治療に反映されていることを患者自身が実感することで、より早期に生活習慣改善の習慣がつくという効果もある。また、日々の測定結果だけでなくポイントおよびアドバイスを患者に提示することから、測定を行う動機付けを継続的に提供することができるという効果もある。この際、仮に前日の測定結果が悪いものであっても、ポイントは加算されることから、測定の継続を促すことができる。
【００５６】
また、クライアント端末１は測定チップ等の測定部１２を備えているので、簡便に測定結果をサーバ装置３に送信することが可能である。これにより、日々の測定が継続することを期待することができる。
【００５７】
なお、ここでは、尿中塩分の測定に関して説明したが、本発明はこれに限定されない。すなわち、測定対象は、患者の生活習慣の結果を示す指標であって、家庭等で患者が測定できる項目であればよい。例えば、尿中タンパク量、尿糖、血糖値、血圧、体重、歩数などを測定するようにしてもよい。もっとも、患者側で測定する対象が変われば、それに応じて診療所側で測定する対象も変えるのが好ましい。例えば、患者が糖尿病患者であり、尿中塩分に代えて血糖を測定する場合、診療所は血圧に代えてヘモグロビンＡ１ｃを測定するのが好ましい。尿中塩分と血圧との間に相関関係があるように、血糖とヘモグロビンＡ１ｃとの間にも相関関係があるからである。患者側と診療所側とで異なる項目について測定するのではなく同じ項目について測定してもよいのはもちろんである。
【００５８】
また、ここでは、尿中塩分の濃度によって測定結果を取り扱っているが、本発明はこれに限定されない。例えば、尿中塩分の濃度について尿量補正やクレアチニン補正を行うことで、塩分量に変換した測定結果を取り扱ってもよい。クレアチニン補正とは、尿中のクレアチニン濃度を測定し、その結果を用いて、尿中塩分濃度から１日尿中塩分排泄量を算出する方法である。このような場合、塩分量としては、例えば１日尿中塩分排泄量を採用することが可能である。
【００５９】
また、ここでは、早朝第１尿に含まれる尿中塩分を測定したが、採尿時間は特に限定されない。例えば、早朝第２尿や夜間尿に含まれる尿中塩分を測定してもよい。
【００６０】
また、ここでは、測定結果と測定頻度とを使用して暫定ポイントを算出したが、本発明はこれに限定されない。例えば、測定頻度のみを使用して暫定ポイントを算出してもよい。
【００６１】
また、ここでは、乖離度合いが大きい場合は、獲得した暫定ポイントをそのまま確定ポイントとし、乖離度合いが小さい場合は、獲得した暫定ポイントの２倍を確定ポイントとすることとしているが、本発明はこれに限定されない。すなわち、乖離度合いが小さいほど、より高い確定ポイントを付与する方法であれば、他の方法を採用してもよい。
【００６２】
また、ここでは、第１の生体情報（尿中塩分）から予想される値と、第２の生体情報（血圧）との乖離度合いに基づいて、暫定ポイントを修正することとしているが、本発明はこれに限定されない。すなわち、第２の生体情報の目標値を記憶する目標値記憶手段をサーバ装置３に備えておき、この目標値に対する第２の生体情報の達成度合いに基づいて、暫定ポイントを修正するようにしてもよい。これにより、日常の生活習慣改善が治療に効果的であった場合に、患者に対して大きなインセンティブが働くようにすることが可能となる。そのため、患者の生活習慣改善に対するモチベーションが上がることを期待することができる。すなわち、第２の生体情報の達成度合いが高いほど、より高い確定ポイントを付与する仕組みにすると、患者がより積極的に生活習慣改善を実施することを期待することができる。
【００６３】
また、測定部１２によって測定された結果に基づいてアドバイスおよび暫定ポイントを作成するための手段をクライアント端末１内に備えていてもよい。このようにすると、クライアント端末１は、測定毎に情報をサーバ装置３に送信する必要がない。すなわち、必要な時だけ（例えば、大幅な異常値が出た時や、サーバ装置３からの定期的な結果チェックの時だけ）、クライアント端末１とサーバ装置３との交信を行えばよくなるため、サーバ装置３の負荷が減少する。また、クライアント端末１は、サーバ装置３との交信時間がないため、よりリアルタイムなアドバイスを得ることが可能となる。
【００６４】
また、ここでは、塩分測定の頻度は、クライアント端末１内で計算されて情報記憶部１６に記載された後、送受信部１５からサーバ装置３に送信されて生体情報記憶部３５０に記憶される構成としたが、本発明はこれに限定されない。例えば、クライアント端末１からサーバ装置３に送信される情報は塩分測定結果および測定日時だけとし、サーバ装置３のインセンティブ情報作成部３２０によって一定期間における測定回数が判定される構成としてもよい。
【００６５】
また、ここでは、診療所を例示して説明したが、診療所は第三者機関の一例である。ここでいう第三者機関には、診療所や病院はもちろん、保健所、健康管理センター、臨床検査センター等も含まれる。このように、第三者機関によって申告される情報は客観的で信憑性があるので、インセンティブ情報を正確に付与することができる。
【００６６】
また、ここでは、本システムの利用者を患者と呼んでいるが、ここでいう患者には、現実に治療が必要でない者も含まれる。すなわち、前記した第三者機関を利用する者である以上、ここでいう患者に該当する。
【００６７】
（実施の形態２）
前記実施の形態１では、ネットワークを介してクライアント端末と診療所端末との間で情報を送受信していたが、本実施の形態２では、記録媒体を介してクライアント端末と診療所端末との間で情報を送受信する。その他の構成については、前記実施の形態１と同じである。
【００６８】
図１１は、本発明の実施の形態２における生活習慣改善支援システムの概略構成図である。クライアント端末１０１は、情報記憶部１６の代わりに、ＳＤカードのような不揮発性の外部メモリに対して情報を読み書きする外部メモリ接続部１１７を備えている。外部メモリ接続部１１７は、本発明に係る第１の生体情報送信手段に相当する。診療所端末１０４も、ＳＤカードのような不揮発性の外部メモリに対して情報を読み書きする外部メモリ接続部１４７を備えている。クライアント端末１０１は、インターネットなどの通信網２に接続されていない。サーバ装置３と診療所端末１０４とは、インターネットなどの通信網２を介して接続されている。その他の構成については、実施の形態１の図１に示した構成と同じである。
【００６９】
図１２は、本発明の実施の形態２におけるポイント・課金記憶部３６０に記憶されているデータ例を示す図である。受信日時が全て同日（２００４年１０月２日）である点を除き、実施の形態１において説明した図５と同じである。受信日時が同日になるのは、ＳＤカードを診療所に持って行った日に処理を一括して行うためであるが、詳細については後述する。
【００７０】
なお、本実施の形態においては、サーバ装置３と診療所端末１０とがインターネットなどの通信網２を介して接続されている場合について説明するが、サーバ装置３は診療所内に設置されていてもよい。その場合、サーバ装置３と診療所端末１０とは、診療所内におけるＬＡＮを介して接続されることになる。
【００７１】
図１３は、本発明の実施の形態２における生活習慣改善支援システムの動作を示すフローチャートである。以下の説明では、実施の形態１と同様の動作については詳しい説明を省略する。
【００７２】
まず、クライアント端末１０１の外部メモリ接続部１１７には、ＳＤカードのような外部メモリが接続されている。患者がクライアント端末１０１を用いて尿中塩分を測定すると、その測定結果が外部メモリ接続部１１７を通じてＳＤカードに記録される。患者は、診療所に向かう際、ＳＤカードをクライアント端末１０１から取り出して持参する。ＳＤカードが診療所端末１０４の外部メモリ接続部１４７に接続されると、ＳＤカードに記録されている測定結果が診療所端末１０４からサーバ装置３に送信される（ステップ１１）。サーバ装置３は、診療所端末１０４から受信した測定結果に基づいて暫定ポイントと累計暫定ポイントとを算出する（ステップ１２→１３）。
【００７３】
また、診療所端末１０４に患者の血圧値が入力されると、その血圧値が診療所端末１０４からサーバ装置３に送信される（ステップ１４）。サーバ装置３は、診療所端末１０４から受信した血圧値とその予想値との乖離度合いを求め、求めた乖離度合いに基づいて暫定ポイントを修正することにより確定ポイントを算出する（ステップ１５）。そして、確定ポイントと交換可能なインセンティブのメニューを作成する。
【００７４】
ここで、本実施の形態２におけるポイント交換メニューは、サーバ装置３から診療所端末１０４に送信され、診療所端末１０４の送受信手段１１５によって受信され、診療所端末１０４の外部メモリ接続部１４７によってＳＤカードに記録される。その後、診療所端末１０４の外部メモリ接続部１４７によってＳＤカードからポイント交換メニューが読み出されると、診療所端末１０４の表示部１４３には、確定ポイントとインセンティブのお知らせ画面が表示される（ステップ１６）。このお知らせ画面は、実施の形態１において説明した図７と同様であるため、ここでは説明を省略する。
【００７５】
患者は、診療所端末１０４の表示部１４３に表示されたポイント交換メニューの中から情報入力部１４１を用いて希望するインセンティブを選択する。希望するインセンティブを示す情報は、診療所端末１０４の外部メモリ接続部１４７によってＳＤカードに記録されるとともに、サーバ装置３に送信される。その結果、患者は、獲得した確定ポイントに応じたインセンティブを享受することができる。その後、インセンティブを享受した後の確定ポイントがサーバ装置３から診療所端末１０４に送信され、診療所端末１０４の外部メモリ接続部１４７によってＳＤカードに記録される（ステップ１７）。これにより、診療所端末１０４の表示部１４３には、インセンティブのお知らせ画面が表示される。このお知らせ画面は、実施の形態１において説明した図９と同様であるため、ここでは説明を省略する。
【００７６】
以上のように、本実施の形態２における生活習慣改善支援システムでは、実施の形態１と同様、クライアント端末１から送信されてきた生体情報だけでなく、診療所端末４から送信されてきた客観的な生体情報をも用いてインセンティブ情報が作成されることになり、インセンティブ情報を正確に付与することができる。また、ＳＤカードを介してクライアント端末１と診療所端末４との間で情報が送受信されるので、クライアント端末１がネットワークに接続されていない場合でも、患者は本システムを利用することが可能となる。
【００７７】
なお、ここでは、暫定ポイントやアドバイス情報を出力しない形態（患者に提示しない形態）について説明したが、本発明はこれに限定されない。すなわち、記録媒体を介してクライアント端末と診療所端末との間で情報を送受信する場合でも、実施の形態１と同様、暫定ポイントやアドバイス情報を出力するようにしてもよい。
【００７８】
図１４は、本発明の実施の形態２における別の生活習慣改善支援システムの動作を示すフローチャートである。図１３と異なる点は、アドバイス情報を作成してからお知らせ画面を表示するまでのステップ２４が追加された点のみである。すなわち、サーバ装置３は、実施の形態１と同様にアドバイス情報を作成し、そのアドバイス情報と暫定ポイントとを診療所端末１０４に送信する。これにより、診療所端末１０４の外部メモリ接続部１４７は、アドバイス情報と暫定ポイントとをＳＤカードに記録し、診療所端末１０４の表示部１４３には、暫定ポイントとアドバイスのお知らせ画面が表示される。このお知らせ画面は、実施の形態１において説明した図６と同様であるため、ここでは説明を省略する。
【００７９】
以上のように、記録媒体を介してクライアント端末と診療所端末との間で情報を送受信する場合でも、実施の形態１と同様、暫定ポイントやアドバイス情報を診療所端末１０４の表示部１４３に表示することができる。これにより、実施の形態１と同様、患者は即座にポイントやアドバイスなどを知ることができる。ただし、このように診療所端末１０４の表示部１４３に各種画面が表示される形態によると、患者は即座にポイントやアドバイスなどを知ることができるというメリットがあるが、診療所内における処理負担が大きくなるというデメリットもある。そこで、患者がＳＤカードを持ち帰ってクライアント端末１０１の外部メモリ接続部１１７に接続したとき、クライアント端末１０１の表示部１１３に各種画面が表示されるようにしてもよい。
【００８０】
図１５は、本発明の実施の形態２における別の生活習慣改善支援システムの動作を示すフローチャートである。図１３と異なる点は、各種画面が診療所端末１０４の表示部１４３ではなくクライアント端末１０１の表示部１１３に表示される点である。
【００８１】
すなわち、図１３と同様、サーバ装置３によって作成されたポイント交換メニューは、診療所端末１０４の外部メモリ接続部１４７によってＳＤカードに記録される。ここで、診療所はＳＤカードを患者に返す。これにより、患者がＳＤカードを持ち帰ってクライアント端末１０１の外部メモリ接続部１１７に接続すると、クライアント端末１０１の表示部１１３には、確定ポイントとインセンティブのお知らせ画面が表示される（ステップ３６）。このお知らせ画面は、実施の形態１において説明した図７と同様であるため、ここでは説明を省略する。
【００８２】
そこで、患者は、クライアント端末１０１の表示部１１３に表示されたポイント交換メニューの中から情報入力部１１１を用いて希望するインセンティブを選択する。希望するインセンティブを示す情報は、クライアント端末１０１の外部メモリ接続部１１７によってＳＤカードに記録される。また、患者が測定部１１２を用いて日々の測定を実施している場合は、その測定結果もクライアント端末１０１の外部メモリ接続部１１７によってＳＤカードに記録される。
【００８３】
患者は、診療所に向かう際は、前回と同様、ＳＤカードをクライアント端末１０１から取り出して持参する。そして、ＳＤカードが診療所端末１０４の外部メモリ接続部１４７に接続されると、ＳＤカードに記録されている情報が診療所端末１０４からサーバ装置３に送信される（ステップ３１）。ここでサーバ装置３に送信される情報には、希望するインセンティブを示す情報と、前回の診療時から今回の診療時までの測定結果とが含まれる。これにより、サーバ装置３は、診療所端末１０４から受信した測定結果に基づいて暫定ポイントと累計暫定ポイントとを算出する（ステップ３２→３３）。
【００８４】
また、診療所端末１０４に患者の血圧値が入力されると、その血圧値が診療所端末１０４からサーバ装置３に送信される（ステップ３４）。サーバ装置３は、診療所端末１０４から受信した血圧値とその予想値との乖離度合いを求め、求めた乖離度合いに基づいて暫定ポイントを修正することにより確定ポイントを算出する（ステップ３５）。そして、確定ポイントと交換可能なインセンティブのメニューを作成する。このポイント交換メニューは、サーバ装置３から診療所端末１０４に送信され、診療所端末１０４の送受信手段１１５によって受信され、診療所端末１０４の外部メモリ接続部１４７によってＳＤカードに記録される。ここで、診療所はＳＤカードを患者に返す。これにより、患者がＳＤカードを持ち帰ってクライアント端末１０１の外部メモリ接続部１１７に接続すると、クライアント端末１０１の表示部１１３には、確定ポイントとインセンティブのお知らせ画面が表示される（ステップ３６）。
【００８５】
図１６は、確定ポイントとインセンティブのお知らせ画面例を示す図である。このお知らせ画面には、確定ポイントの増減とインセンティブとが含まれる。確定ポイントが増減するのは、ＳＤカードを診療所に持って行った日に処理を一括して行うためである。すなわち、クライアント端末１０１においてインセンティブを選択すると確定ポイントは減ることになるが、その処理をサーバ装置３が行うのは、患者がＳＤカードを持参して次に診療所を訪れた際になる。そして、患者がＳＤカードを持参して次に診療所を訪れた際には、前回と同様、診療所で血圧値を測定するので新たな確定ポイントが発生することになる。従って、患者が診療所からＳＤカードを持ち帰ってクライアント端末１０１の外部メモリ接続部１１７に接続した時には、前記したように確定ポイントが増減しているのである。
【００８６】
以上のように、記録媒体を介してクライアント端末と診療所端末との間で情報を送受信する場合でも、診療所端末１０４の表示部１４３ではなくクライアント端末１０１の表示部１１３に各種画面を表示することができる。これにより、診療所端末１０４の表示部１４３に各種画面を表示する必要がなくなるので、診療所内における処理負担が大きくなるというデメリットも生じない。
【００８７】
もっとも、本形態によると、患者はポイントをリアルタイムに知ることができなくなるが、インセンティブをお知らせする際に確定ポイントの増減もお知らせするようにしているので、患者が混乱するという不具合を回避することができる。このお知らせ画面には、累計確定ポイントが含まれてもよい。この場合、累計確定ポイントは、ポイント・課金記憶部３６０に記憶されている確定ポイントを累計することにより得ることができる。あるいは、図１７に示されるように、確定ポイントだけでなく累計確定ポイントもポイント・課金記憶部３６０に記憶しておく構成を採用してもよい。
【００８８】
なお、ステップ３６では、確定ポイントとインセンティブのお知らせ画面を表示することとしているが、本発明はこれに限定されない。すなわち、ステップ３６では、確定ポイントとアドバイスのお知らせ画面を表示するようにしてもよい。
【００８９】
図１８は、確定ポイントとアドバイスのお知らせ画面例を示す図である。このお知らせ画面には、前回までに獲得した累計確定ポイントと、今回獲得した確定ポイントと、その２つの合計である現在の累計確定ポイントと、アドバイス情報とが含まれる。すなわち、確定ポイントとともに、暫定ポイントに基づいて作成されたアドバイス情報をクライアント端末１０１の表示部１１３に表示することも可能である。このお知らせ画面には、現在までの累計暫定ポイントが含まれてもよい。このようにすれば、前記した通り、患者の生活習慣改善に対する努力を否定することがなく評価するため、生活習慣改善の実施を継続させる効果がある。このように、確定ポイントとともにアドバイス情報を表示する構成は、実施の形態１においても採用することができるのは言うまでもない。
【００９０】
また、ここでは、記録媒体としてＳＤカードを例示したが、記録媒体はＳＤカードに限定されない。すなわち、ｍｉｎｉＳＤカード、メモリースティック、コンパクトフラッシュ（登録商標）、マイクロドライブ、ＸＤピクチャカード、ＵＳＢメモリなど、持ち運び可能な不揮発性メモリであればよい。
【００９１】
また、ここでは、診療所端末１０４に外部メモリ接続部を備えた構成について説明したが、本発明はこれに限定されない。例えば、サーバ装置３と診療所端末１０４とが診療所内に設置されている場合は、サーバ装置３に外部メモリ接続部を備える構成としてもよい。この場合、サーバ装置３の外部接続メモリ部にＳＤカードを接続すると、クライアント端末１０１によってＳＤカードに記録された情報を直接サーバ装置３において読み込むことが可能となる。
【００９２】
（実施の形態３）
前記実施の形態１では、患者に対してポイントを付与する構成について説明したが、本実施の形態３では、患者だけでなく診療所などの第三者機関に対してもポイントを付与する構成を採用している。すなわち、本実施の形態３におけるインセンティブ情報作成部３２０は、患者に対するインセンティブ情報だけでなく第三者機関に対するインセンティブ情報も作成する。この第三者機関インセンティブ情報とは、第三者機関の取り組みに対するインセンティブを高めるための情報である。その他の構成については、前記実施の形態１と同じである。
【００９３】
図１９は、本発明の実施の形態３における生活習慣改善支援システムが診療所にポイントを付与する動作を示すフローチャートである。
【００９４】
まず、前記実施の形態１において説明した各ステップが実行される。すなわち、診療所を受診している患者が生活習慣改善を家庭で実施すると、その実施情報が生活習慣改善支援システムに送信される。これにより、患者は、診療所での検査結果に基づいて算出された確定ポイントを得る。その結果、図５に示されるように、確定ポイントが患者ごとに記憶されることになる（ステップ２１）。
【００９５】
そこで、サーバ装置３のインセンティブ情報作成部３２０は、一定期間（例えば１ヶ月）単位で確定ポイント数を診療所ＩＤごとに集計する（ステップ２２→２３）。確定ポイント数が多い診療所は、生活習慣改善に取組んでいる患者数が多い診療所であるか、生活習慣改善がよく出来ている患者数が多い診療所であるか、又はその両方であるということができる。
【００９６】
よって、サーバ装置３のインセンティブ情報作成部３２０は、診療所が獲得した合計確定ポイント数により診療所を順位付けする（ステップ２４）。例えば、１位の診療所には５ポイントを、２位の診療所には４ポイントを、３位の診療所には３ポイントを、４位の診療所には２ポイントを、５位の診療所には１ポイントを、それぞれ診療所ポイントとして与えると（ステップ２５）、その結果がポイント・課金記憶部３６０の中に別のフォーマットで記憶される。
【００９７】
図２０は、ポイント・課金記憶部３６０に記憶されているデータ例を示す図である。図２０に示されるように、ポイント・課金記憶部３６０は、日付、診療所ＩＤ、確定ポイント総数、順位、診療所ポイントをそれぞれ関連付けて記憶する。ここでは、１１月度の順位付けを表している。すなわち、１５ポイントの累計診療所ポイントを獲得したＩＤ△△△△の診療所が１位であり、１２ポイントの累計診療所ポイントを獲得したＩＤ△△△□の診療所が２位である状態を表している。
【００９８】
このような順位付けができると、その結果を患者に示す（ステップ２６）。この示し方は、例えばインターネットを通じて示す方法など様々あり、特に限定されない。
【００９９】
以上のように、本実施の形態３では、患者だけでなく診療所に対してもポイントを付与する構成を採用しているので、その診療所ポイントを患者に示すことができる。これにより、診療所の生活習慣改善に対する取り組みを客観的にアピールすることができ、患者の受診中断などによる診療所離れを抑制する効果が得られる。
【０１００】
なお、診療所ポイントが一定ポイント以上になった場合は、診療所の本システム使用料金を割引くサービスなどを導入してもよい。このようにすれば、医療機関が生活習慣改善に取り組みやすくなるという効果を期待することができる。
【０１０１】
このようなシステムを用いた生活習慣改善サービスを実施する場合は、以下のような事業体が参画したサービス事業を構築することが考えられる。すなわち、サーバ装置３を運営するサービス提供体を保険会社とし、患者へのサービスを生命保険とし、患者に対するインセンティブを掛け金のキャッシュバックとする。この場合、第三者機関である医療機関に対して、サービス提供体である保険会社がその効果度合いによりインセンティブとしてポイントを発行するのが好ましい。このようにすれば、ポイントを公表することによって医療機関の優良度を患者に提示することができるので、医療機関の認知度を高め、患者を集める効果を得ることができる。
【産業上の利用可能性】
【０１０２】
本発明に係る生活習慣改善支援善システムは、インセンティブ情報を正確に付与することが必要な、生活習慣病患者（特に高血圧患者）の生活習慣の改善を支援するためのシステムとして有用である。
【図面の簡単な説明】
【０１０３】
【図１】図１は、本発明の実施の形態１における生活習慣改善支援システムの概略構成図である。
【図２】図２は、本発明の実施の形態１におけるサーバ装置の詳細構成図である。
【図３】図３は、本発明の実施の形態１における生活習慣改善支援システムの動作を示すフローチャートである。
【図４】図４は、本発明の実施の形態１における生体情報記憶部に記憶されているデータ例を示す図である。
【図５】図５は、本発明の実施の形態１におけるポイント・課金記憶部に記憶されているデータ例を示す図である。
【図６】図６は、本発明の実施の形態１における暫定ポイントとアドバイスのお知らせ画面例を示す図である。
【図７】図７は、本発明の実施の形態１における確定ポイントとインセンティブのお知らせ画面例を示す図である。
【図８】図８は、本発明の実施の形態１におけるポイント・課金記憶部に記憶されている別のデータ例を示す図である。
【図９】図９は、本発明の実施の形態１におけるインセンティブのお知らせ画面例を示す図である。
【図１０】図１０は、本発明の実施の形態１におけるポイント確定の動作を示すフローチャートである。
【図１１】図１１は、本発明の実施の形態２における生活習慣改善支援システムの概略構成図である。
【図１２】図１２は、本発明の実施の形態２におけるポイント・課金記憶部に記憶されているデータ例を示す図である。
【図１３】図１３は、本発明の実施の形態２における生活習慣改善支援システムの動作を示すフローチャートである。
【図１４】図１４は、本発明の実施の形態２における別の生活習慣改善支援システムの動作を示すフローチャートである。
【図１５】図１５は、本発明の実施の形態２における別の生活習慣改善支援システムの動作を示すフローチャートである。
【図１６】図１６は、本発明の実施の形態２における確定ポイントとインセンティブのお知らせ画面例を示す図である。
【図１７】図１７は、本発明の実施の形態２におけるポイント・課金記憶部に記憶されている別のデータ例を示す図である。
【図１８】図１８は、本発明の実施の形態２における確定ポイントとアドバイスのお知らせ画面例を示す図である。
【図１９】図１９は、本発明の実施の形態３における生活習慣改善支援システムが診療所にポイントを付与する動作を示すフローチャートである。
【図２０】図２０は、本発明の実施の形態３におけるポイント・課金記憶部に記憶されているデータ例を示す図である。
【符号の説明】
【０１０４】
１  クライアント端末
２  通信網
３  サーバ装置
４  診療所端末
１０、４０  電源ボタン
１１、４１  情報入力部
１２  測定部
１３、４３  表示部
１４、４４  ＣＰＵ
１５、３１、４５  送受信部
１６、４６  情報記憶部
３１  送受信部
３２  ＣＰＵ
３３  情報記憶部
３１０  送受信部
３２０  インセンティブ情報作成部
３２１  暫定部
３２２  修正部
３３０  アドバイス情報作成部
３４０  相関関係記憶部
３５０  生体情報記憶部
３６０  ポイント・課金記憶部
【手続補正３】
【補正対象書類名】図面
【補正対象項目名】全図
【補正方法】変更
【補正の内容】
【図１】
2006098298.tif 000022
【図２】
2006098298.tif 000023
【図３】
2006098298.tif 000024
【図４】
2006098298.tif 000025
【図５】
2006098298.tif 000026
【図６】
2006098298.tif 000027
【図７】
2006098298.tif 000028
【図８】
2006098298.tif 000029
【図９】
2006098298.tif 000030
【図１０】
2006098298.tif 000031
【図１１】
2006098298.tif 000032
【図１２】
2006098298.tif 000033
【図１３】
2006098298.tif 000034
【図１４】
2006098298.tif 000035
【図１５】
2006098298.tif 000036
【図１６】
2006098298.tif 000037
【図１７】
2006098298.tif 000038
【図１８】
2006098298.tif 000039
【図１９】
2006098298.tif 000040
【図２０】
2006098298.tif 000041
【国際調査報告】
2006098298.tif 000042
2006098298.tif 000043
2006098298.tif 000044